(57)【特許請求の範囲】
【請求項１】
ディスプレイ装置の第１ソースラインに連結された第１バッファをドライビングするための第１色相データ及び前記ディスプレイ装置の第２ソースラインに連結された第２バッファをドライビングするための第２色相データを比較する段階と、
前記第１色相データ及び前記第２色相データの比較結果が同じであれば前記第１バッファを用いて前記第２ソースラインを選択的にドライビングする段階と、を有し、
前記第１色相データ及び前記第２色相データの比較結果が同じであれば、前記第２バッファを選択的にディスエーブルすることを特徴とするディスプレイ装置のソースラインドライビング方法。
【請求項２】
前記第１色相データ及び前記第２色相データはそれぞれ、
前記第１及び第２ソースラインに提供されるＲチャンネルデータ、Ｇチャンネルデータ及びＢチャンネルデータを含むことを特徴とする請求項１に記載のディスプレイ装置のソースラインドライビング方法。
【請求項３】
前記第１色相データは、Ｒチャンネルデータ、Ｇチャンネルデータ及びＢチャンネルデータのうち一つを含み、前記第２色相データは、Ｒチャンネルデータ、Ｇチャンネルデータ及びＢチャンネルデータのうち前記第１色相データの対応するチャンネルデータ一つを含み、前記第１ソースライン及び第２ソースラインは、二つの異なるピクセルに連結されたソースラインのうち対応するソースラインであることを特徴とする請求項１に記載のディスプレイ装置のソースラインドライビング方法。
【請求項４】
前記第１色相データは、Ｒチャンネルデータ、Ｇチャンネルデータ及びＢチャンネルデータのうち一つを含み、前記第２色相データは、Ｒチャンネルデータ、Ｇチャンネルデータ及びＢチャンネルデータのうち他の一つを含むことを特徴とする請求項１に記載のディスプレイ装置のソースラインドライビング方法。
【請求項５】
前記比較段階は、
前記第１色相データと前記第２色相データとが同じ値を有するか否かを決定することを特徴とする請求項１に記載のディスプレイ装置のソースラインドライビング方法。
【請求項６】
前記第１及び第２色相データは、二つの異なるピクセルのためのＲＧＢデータを含み、前記第１バッファは、第１Ｒバッファ、第１Ｇバッファ及び第１Ｂバッファを含み、前記第２バッファは、第２Ｒバッファ、第２Ｇバッファ及び第２Ｂバッファを含むことを特徴とする請求項１に記載のディスプレイ装置のソースラインドライビング方法。
【請求項７】
前記第２バッファを選択的にディスエーブルする段階は、
前記第１バッファが前記第１ソースライン及び前記第２ソースラインをドライビングする場合、前記第２バッファと前記第２ソースラインとの連結を選択的に切り離すことを特徴とする請求項１に記載のディスプレイ装置のソースラインドライビング方法。
【請求項８】
前記第２バッファを選択的にディスエーブルする段階は、
前記第２バッファの差動増幅入力回路及び／または出力ドライブ回路を選択的にディスエーブルすることを特徴とする請求項１に記載のディスプレイ装置のソースラインドライビング方法。
【請求項９】
前記第１ソースライン及び前記第２ソースラインは、同じピクセルのソースラインであることを特徴とする請求項１に記載のディスプレイ装置のソースラインドライビング方法。
【請求項１０】
前記第１ソースライン及び前記第２ソースラインは、異なるピクセルのソースラインであることを特徴とする請求項１に記載のディスプレイ装置のソースラインドライビング方法。
【請求項１１】
前記第１色相データ及び前記第２色相データはそれぞれ、
前記第１及び第２ソースラインに提供されるＲチャンネルデータ、Ｇチャンネルデータ、Ｂチャンネルデータ及び／または白色データを含むことを特徴とする請求項１に記載のディスプレイ装置のソースラインドライビング方法。
【請求項１２】
前記ディスプレイ装置は、液晶表示装置であることを特徴とする請求項１に記載のディスプレイ装置のソースラインドライビング方法。
【請求項１３】
ディスプレイ装置の第１ソースラインに連結された第１バッファをドライビングするための第１色相データ及び前記ディスプレイ装置の第２ソースラインに連結された第２バッファをドライビングするための第２色相データを比較する段階は、
複数個の第１ソースラインと連結された複数個の第１バッファをドライビングするための第１色相データと、複数個の第２ソースラインと連結された複数個の第２バッファをドライビングするための第２色相データとを比較する段階を含み、
前記第２バッファを選択的にディスエーブルし、前記第１色相データ及び前記第２色相データの比較結果が同じであれば前記第１バッファを用いて前記第２ソースラインを選択的にドライビングする段階は、
前記複数個の第２バッファを選択的にディスエーブルし、前記第１色相データ及び前記第２色相データの比較結果が同じであれば前記複数個の第１バッファを用いて前記複数個の第２ソースラインを選択的にドライビングする段階を含むことを特徴とする請求項１に記載のディスプレイ装置のソースラインドライビング方法。
【請求項１４】
ディスプレイ装置の第１ソースラインをドライビングするための色相データ及び前記ディスプレイ装置の少なくとも一つの他のソースラインをドライビングするための色相データを比較する段階と、
前記比較結果が同じであれば、共通ソースラインバッファによって前記少なくとも一つの他のソースライン及び前記第１ソースラインを選択的にドライビングする段階と、
前記少なくとも一つの他のソースラインが前記共通ソースラインバッファによってドライビングされれば、前記少なくとも一つの他のソースラインのソースラインバッファを非活性化させる段階と、を含むことを特徴とするディスプレイ装置のソースラインドライビング方法。
【請求項１５】
前記色相データを比較する段階は、
前記ディスプレイ装置の第１ソースラインをドライビングするための色相データ及び前記ディスプレイ装置の複数個の他のソースラインのそれぞれをドライビングするための色相データを比較する段階を含み、
前記比較結果が同じであれば、共通ソースラインバッファによって前記少なくとも一つの他のソースライン及び前記第１ソースラインを選択的にドライビングする段階は、前記第１ソースライン及び前記共通ソースラインバッファに前記複数個の他のソースラインのうち選択されたラインを駆動する段階を含み、
ソースラインバッファを非活性化させる段階は、前記共通ソースラインバッファによって駆動される前記複数個のソースラインのそれぞれのためのソースラインバッファを非活性化させることを特徴とする請求項１４に記載のディスプレイ装置のソースラインドライビング方法。
【請求項１６】
ソースラインバッファを非活性化させる段階は、前記ソースラインバッファの差動増幅入力回路及び／または出力ドライブ回路を選択的にディスエーブルすることを特徴とする請求項１４に記載のディスプレイ装置のソースラインドライビング方法。
【請求項１７】
前記第１ソースライン及び前記少なくとも一つの他のソースラインは、同じピクセルのソースラインであることを特徴とする請求項１４に記載のディスプレイ装置のソースラインドライビング方法。
【請求項１８】
前記第１ソースライン及び前記少なくとも一つの他のソースラインは、異なるピクセルのソースラインであることを特徴とする請求項１４に記載のディスプレイ装置のソースラインドライビング方法。
【請求項１９】
前記第１ソースライン及び前記少なくとも一つの他のソースラインは、少なくとも二つの異なるピクセルのための同じ色成分が提供されるソースラインであることを特徴とする請求項１４に記載のディスプレイ装置のソースラインドライビング方法。
【請求項２０】
前記第１ソースライン及び前記少なくとも一つの他のソースラインは、異なる色成分が提供されるソースラインであることを特徴とする請求項１４に記載のディスプレイ装置のソースラインドライビング方法。
【請求項２１】
前記第１ソースライン及び前記少なくとも一つの他のソースラインは、異なるピクセルのソースラインであることを特徴とする請求項２０に記載のディスプレイ装置のソースラインドライビング方法。
【請求項２２】
前記第１ソースライン及び前記少なくとも一つの他のソースラインは、一つのピクセルのソースラインであることを特徴とする請求項２０に記載のディスプレイ装置のソースラインドライビング方法。
【請求項２３】
前記第１ソースラインは、複数個の第１ソースラインを備え、前記少なくとも一つの他のソースラインは、複数個の第２ソースラインを備え、
前記ディスプレイ装置の第１ソースラインをドライビングするための色相データと前記ディスプレイ装置の少なくとも一つの他のソースラインをドライビングするための色相データとを比較する段階は、
前記ディスプレイ装置の前記複数個の第１ソースラインをドライビングするための色相データと前記ディスプレイ装置の複数個の第２ソースラインをドライビングするための色相データとを比較する段階を含み、
前記比較結果が同じであれば、共通ソースラインバッファによって前記少なくとも一つの他のソースライン及び前記第１ソースラインを選択的にドライビングする段階は、
前記比較結果が同じであれば、複数個の共通ソースラインバッファによって前記複数個の第１ソースラインと前記複数個の第２ソースラインとを選択的にドライビングする段階を含み、
前記少なくとも一つの他のソースラインが前記共通ソースラインバッファによってドライビングされれば、前記少なくとも一つの他のソースラインのソースラインバッファを非活性化させる段階は、前記複数個の第２ソースラインが前記複数個の共通ソースラインバッファによってドライビングされれば、前記複数個の第２ソースラインのソースラインバッファを非活性化させる段階を含むことを特徴とする請求項１４に記載のディスプレイ装置のソースラインドライビング方法。
【請求項２４】
前記ディスプレイ装置の前記複数個の第１ソースラインをドライビングするための色相データ及び前記ディスプレイ装置の前記複数個の第２ソースラインをドライビングするための色相データは、ＲＧＢデータを含むことを特徴とする請求項２３に記載のディスプレイ装置のソースラインドライビング方法。
【請求項２５】
前記ディスプレイ装置の前記複数個の第１ソースラインをドライビングするための色相データと前記ディスプレイ装置の前記複数個の第２ソースラインをドライビングするための色相データとを比較する段階は、
前記ディスプレイ装置の前記複数個の第１ソースラインをドライビングするための色相データの要素と前記ディスプレイ装置の前記複数個の第２ソースラインをドライビングするための色相データの前記第１ソースラインに係る色相データの対応要素とを比較する段階を含むことを特徴とする請求項２３に記載のディスプレイ装置のソースラインドライビング方法。
【請求項２６】
前記ディスプレイ装置の前記複数個の第１ソースラインをドライビングするための色相データと前記ディスプレイ装置の前記複数個の第２ソースラインをドライビングするための色相データとを比較する段階は、
前記ディスプレイ装置の前記複数個の第１ソースラインをドライビングするための全ての色相データと前記ディスプレイ装置の前記複数個の第２ソースラインをドライビングするための全ての色相データとを比較する段階を含むことを特徴とする請求項２３に記載のディスプレイ装置のソースラインドライビング方法。
【請求項２７】
前記ディスプレイ装置の第１ソースラインをドライビングするための前記色相データは、Ｒチャンネルデータ、Ｇチャンネルデータ、Ｂチャンネルデータ及び／または白色データを含み、
前記ディスプレイ装置の少なくとも一つの他のソースラインをドライビングするための前記色相データは、Ｒチャンネルデータ、Ｇチャンネルデータ、Ｂチャンネルデータ及び／または白色データを含むことを特徴とする請求項１４に記載のディスプレイ装置のソースラインドライビング方法。
【請求項２８】
前記ディスプレイ装置は、液晶表示装置であることを特徴とする請求項１４に記載のディスプレイ装置のソースラインドライビング方法。
【請求項２９】
ディスプレイ装置のソースラインをドライビングするバッファ回路において、
前記ディスプレイ装置の第１ソースラインに提供された第１色相データ値と第２ソースラインに提供された第２色相データ値とを比較するデータ比較回路と、
前記第１色相データ値に基づいて、前記第１ソースラインをドライビングする第１バッファと、
前記第２色相データ値に基づいて、前記第２ソースラインをドライビングする第２バッファであって、前記第２バッファは、前記データ比較回路による比較結果が同じであれば前記第２バッファを選択的にディスエーブルさせる前記第２バッファと、
前記データ比較回路による比較結果が同じであれば、前記第１バッファを前記第２ソースラインに電気的に選択的に連結する第１スイッチング回路と、を備えることを特徴とするバッファ回路。
【請求項３０】
前記第１色相データ及び前記第２色相データはそれぞれ、
前記第１及び第２ソースラインに提供されるＲチャンネルデータ、Ｇチャンネルデータ及びＢチャンネルデータを含むことを特徴とする請求項２９に記載のバッファ回路。
【請求項３１】
前記第１色相データは、Ｒチャンネルデータ、Ｇチャンネルデータ及びＢチャンネルデータのうち一つを含み、前記第２色相データは、Ｒチャンネルデータ、Ｇチャンネルデータ及びＢチャンネルデータのうち前記第１色相データの対応するチャンネルデータ一つを含み、前記第１ソースライン及び第２ソースラインは、二つの異なるピクセルに連結されたソースラインのうち対応するソースラインであることを特徴とする請求項３０に記載のバッファ回路。
【請求項３２】
前記第１色相データは、Ｒチャンネルデータ、Ｇチャンネルデータ及びＢチャンネルデータのうち一つを含み、前記第２色相データは、Ｒチャンネルデータ、Ｇチャンネルデータ及びＢチャンネルデータのうち他の一つを含むことを特徴とする請求項２９に記載のバッファ回路。
【請求項３３】
前記データ比較回路は、
前記第１色相データと前記第２色相データとが同じ値を有するか否かを決定することを特徴とする請求項２９に記載のバッファ回路。
【請求項３４】
前記第１色相データ及び前記第２色相データは、前記ディスプレイ装置の二つの異なるピクセルのためのＲＧＢデータを含み、
前記第１バッファは、第１赤ソースラインをドライビングする第１赤バッファ、第１緑ソースラインをドライビングする第１緑バッファ、及び第１青ソースラインをドライビングする第１青バッファを備え、
前記第２バッファは、前記データ比較回路による比較結果が同じであれば選択的にディスエーブルされ、第２赤ソースラインをドライビングする第２赤バッファ、前記データ比較回路による比較結果が同じであれば選択的にディスエーブルされ、第２緑ソースラインをドライビングする第２緑バッファ、前記データ比較回路による比較結果が同じであれば選択的にディスエーブルされ、第２青ソースラインをドライビングする第２青バッファを備え、
前記第１スイッチング回路は、前記データ比較回路による比較結果が同じであれば、前記第１赤バッファを前記第２赤ソースラインに選択的に電気的に連結し、前記データ比較回路による比較結果が同じであれば、前記第１緑バッファを前記第２緑ソースラインに選択的に電気的に連結し、前記データ比較回路による比較結果が同じであれば、前記第１青バッファを前記第２青ソースラインに選択的に電気的に連結することを特徴とする請求項２９に記載のバッファ回路。
【請求項３５】
前記データ比較回路による比較結果が同じであれば、前記第２バッファと前記第２ソースラインとの連結を電気的に選択的に解き、前記第１バッファが前記第２ソースラインに連結されれば、前記第２バッファの連結を切り離す第２スイッチング回路をさらに備えることを特徴とする請求項２９に記載のバッファ回路。
【請求項３６】
前記データ比較回路は、
前記第１及び第２色相データ値の対応するデータビットを比較する複数個のロジックゲートと、
前記複数個のロジックゲートの出力がいずれも同じ値であれば、前記複数個のロジックゲートの出力を合算し、第１信号を出力する合算ロジックゲートと、
前記合算ロジックゲートの出力に基づいて、前記第１及び第２スイッチング回路に制御信号を選択的に提供する複数個のマルチプレクサと、を備えることを特徴とする請求項３５に記載のバッファ回路。
【請求項３７】
前記複数個のマルチプレクサは、
複数個の排他的な論理和ゲートを備え、前記合算ロジックゲートは、反転論理和ゲートを備えることを特徴とする請求項３６に記載のバッファ回路。
【請求項３８】
前記合算ロジックゲートは、
複数個のロジックゲートを備えることを特徴とする請求項３６に記載のバッファ回路。
【請求項３９】
前記複数個のマルチプレクサは、
前記第２バッファの動作を制御する制御信号を発生させる第１マルチプレクサと、
前記第１バッファを前記第２ソースラインに連結する前記第１スイッチング回路の動作を制御する制御信号を発生させる第２マルチプレクサと、
前記第２バッファを前記第２ソースラインから分離させる前記第２スイッチング回路の動作を制御する制御信号を発生させる第３マルチプレクサと、を備えることを特徴とする請求項３６に記載のバッファ回路。
【請求項４０】
前記第２バッファは、前記第２バッファがディスエーブルされれば、電圧源からトランジスタを選択的に分離させる入力回路を備えることを特徴とする請求項２９に記載のバッファ回路。
【請求項４１】
前記第２バッファの出力電圧源から前記第２バッファの出力ラインを分離させる出力回路の出力ドライブトランジスタを制御する前記出力回路をさらに備える特徴とする請求項４０に記載のバッファ回路。
【請求項４２】
前記ディスプレイ装置は、液晶表示装置であることを特徴とする請求項２９に記載のバッファ回路。
【請求項４３】
ディスプレイ装置のソースラインをドライビングするシステムにおいて、
ディスプレイ装置の第１ソースラインと連結された第１バッファをドライビングするための第１色相データと前記ディスプレイ装置の第２ソースラインに連結された第２バッファをドライビングするための第２色相データとを比較する手段と、
前記比較手段による比較結果が同じであれば、前記第１バッファを用いて前記第２ソースラインを選択的にドライビングする手段を備え、
前記比較手段による比較結果が同じであれば、前記第２バッファを選択的にディスエーブルする手段をさらに備えることを特徴とするドライビングシステム。
【請求項４４】
前記第１色相データ及び前記第２色相データはそれぞれ、
前記第１及び第２ソースラインに提供されるＲチャンネルデータ、Ｇチャンネルデータ及びＢチャンネルデータを含むことを特徴とする請求項４３に記載のドライビングシステム。
【請求項４５】
前記第１色相データは、Ｒチャンネルデータ、Ｇチャンネルデータ及びＢチャンネルデータのうち一つを含み、前記第２色相データは、Ｒチャンネルデータ、Ｇチャンネルデータ及びＢチャンネルデータのうち前記第１色相データの対応するチャンネルデータ一つを含み、前記第１ソースライン及び第２ソースラインは、二つの異なるピクセルに連結されたソースラインのうち対応するソースラインであることを特徴とする請求項４３に記載のドライビングシステム。
【請求項４６】
前記第１色相データは、Ｒチャンネルデータ、Ｇチャンネルデータ及びＢチャンネルデータのうち一つを含み、前記第２色相データは、Ｒチャンネルデータ、Ｇチャンネルデータ及びＢチャンネルデータのうち他の一つを含むことを特徴とする請求項４３に記載のドライビングシステム。
【請求項４７】
前記比較手段は、
前記第１色相データと前記第２色相データとが同じ値を有するか否かを決定する手段を備えることを特徴とする請求項４３に記載のドライビングシステム。
【請求項４８】
前記第１及び第２色相データは、二つの異なるピクセルのためのＲＧＢデータを含み、前記第１バッファは、第１Ｒバッファ、第１Ｇバッファ及び第１Ｂバッファを備え、前記第２バッファは、第２Ｒバッファ、第２Ｇバッファ及び第２Ｂバッファを備えることを特徴とする請求項４３に記載のドライビングシステム。
【請求項４９】
前記第２バッファを選択的にディスエーブルする手段は、
前記第１バッファが前記第１ソースライン及び前記第２ソースラインをドライビングする場合、前記第２バッファと前記第２ソースラインとの連結を選択的に切り離すことを特徴とする請求項４３に記載のドライビングシステム。
【請求項５０】
前記第２バッファを選択的にディスエーブルする手段は、
前記第２バッファの差動増幅入力回路及び／または出力ドライブ回路を選択的にディスエーブル手段を備えることを特徴とする請求項４３に記載のドライビングシステム。
【請求項５１】
前記第１ソースライン及び前記第２ソースラインは、同じピクセルのソースラインであることを特徴とする請求項４３に記載のドライビングシステム。
【請求項５２】
前記第１ソースライン及び前記第２ソースラインは、異なるピクセルのソースラインであることを特徴とする請求項４３に記載のドライビングシステム。
【請求項５３】
前記第１色相データ及び前記第２色相データはそれぞれ、
前記第１及び第２ソースラインに提供されるＲチャンネルデータ、Ｇチャンネルデータ、Ｂチャンネルデータ及び／または白色データを含むことを特徴とする請求項４３に記載のドライビングシステム。
【請求項５４】
前記ディスプレイ装置は、液晶表示装置であることを特徴とする請求項４３に記載のドライビングシステム。
【請求項５５】
ディスプレイ装置の第１ソースラインに連結された第１バッファをドライビングするための第１色相データと前記ディスプレイ装置の第２ソースラインに連結された第２バッファをドライビングするための第２色相データとを比較する手段は、
複数個の第１ソースラインと連結された複数個の第１バッファをドライビングするための第１色相データと複数個の第２ソースラインと連結された複数個の第２バッファをドライビングするための第２色相データとを比較する手段を備え、
前記第２バッファを選択的にディスエーブルし、前記第１色相データ及び前記第２色相データの比較結果が同じであれば、前記第１バッファを用いて前記第２ソースラインを選択的にドライビングする手段は、
前記複数個の第２バッファを選択的にディスエーブルし、前記比較手段による比較結果が同じであれば、前記複数個の第１バッファを用いて前記複数個の第２ソースラインを選択的にドライビングする手段を備えることを特徴とする請求項４３に記載のドライビングシステム。
【請求項５６】
ディスプレイ装置のソースラインをドライビングするシステムにおいて、
ディスプレイ装置の第１ソースラインをドライビングするための色相データと前記ディスプレイ装置の少なくとも一つの他のソースラインをドライビングするための色相データとを比較する手段と、
前記比較手段による比較結果が同じであれば、共通ソースラインバッファによって前記少なくとも一つの他のソースライン及び前記第１ソースラインを選択的にドライビングする手段と、
前記少なくとも一つの他のソースラインが前記共通ソースラインバッファによってドライビングされれば、前記少なくとも一つの他のソースラインのソースラインバッファを非活性化させる手段と、を備えることを特徴とするドライビングシステム。
【請求項５７】
前記比較手段は、前記ディスプレイ装置の第１ソースラインをドライビングするための色相データと前記ディスプレイ装置の複数個の他のソースラインのそれぞれをドライビングするための色相データとを比較する手段を備え、
前記比較結果が同じであれば、共通ソースラインバッファによって前記少なくとも一つの他のソースライン及び前記第１ソースラインを選択的にドライビングする手段は、前記第１ソースライン及び前記共通ソースラインバッファに前記複数個の他のソースラインのうち選択されたラインを駆動する手段を備え、
ソースラインバッファを非活性化させる手段は、前記共通ソースラインバッファによって駆動される前記複数個のソースラインのそれぞれのためのソースラインバッファを非活性化させる手段を備えることを特徴とする請求項５６に記載のドライビングシステム。
【請求項５８】
ソースラインバッファを非活性化させる手段は、前記ソースラインバッファの差動増幅入力回路及び／または出力ドライブ回路を選択的にディスエーブルする手段を備えることを特徴とする請求項５６に記載のドライビングシステム。
【請求項５９】
前記第１ソースライン及び前記少なくとも一つの他のソースラインは、同じピクセルのソースラインであることを特徴とする請求項５６に記載のドライビングシステム。
【請求項６０】
前記第１ソースライン及び前記少なくとも一つの他のソースラインは、異なるピクセルのソースラインであることを特徴とする請求項５６に記載のドライビングシステム。
【請求項６１】
前記第１ソースライン及び前記少なくとも一つの他のソースラインは、少なくとも二つの異なるピクセルのための同じ色成分が提供されるソースラインであることを特徴とする請求項５６に記載のドライビングシステム。
【請求項６２】
前記第１ソースライン及び前記少なくとも一つの他のソースラインは、異なる色成分が提供されるソースラインであることを特徴とする請求項５６に記載のドライビングシステム。
【請求項６３】
前記第１ソースライン及び前記少なくとも一つの他のソースラインは、異なるピクセルのソースラインであることを特徴とする請求項６２に記載のドライビングシステム。
【請求項６４】
前記第１ソースライン及び前記少なくとも一つの他のソースラインは、一つのピクセルのソースラインであることを特徴とする請求項６２に記載のドライビングシステム。
【請求項６５】
前記第１ソースラインは、複数個の第１ソースラインを備え、前記少なくとも一つの他のソースラインは、複数個の第２ソースラインを備え、
前記ディスプレイ装置の第１ソースラインをドライビングするための色相データと前記ディスプレイ装置の少なくとも一つの他のソースラインをドライビングするための色相データとを比較する手段は、
前記ディスプレイ装置の前記複数個の第１ソースラインをドライビングするための色相データと前記ディスプレイ装置の複数個の第２ソースラインをドライビングするための色相データとを比較する手段を備え、
前記比較結果が同じであれば、共通ソースラインバッファによって前記少なくとも一つの他のソースライン及び前記第１ソースラインを選択的にドライビングする手段は、
前記比較結果が同じであれば、複数個の共通ソースラインバッファによって前記複数個の第１ソースラインと前記複数個の第２ソースラインとを選択的にドライビングする手段を備え、
前記少なくとも一つの他のソースラインが前記共通ソースラインバッファによってドライビングされれば、前記少なくとも一つの他のソースラインのソースラインバッファを非活性化させる手段は、前記複数個の第２ソースラインが前記複数個の共通ソースラインバッファによってドライビングされれば、前記複数個の第２ソースラインのソースラインバッファを非活性化させる手段を備えることを特徴とする請求項５６に記載のドライビングシステム。
【請求項６６】
前記ディスプレイ装置の前記複数個の第１ソースラインをドライビングするための色相データ及び前記ディスプレイ装置の前記複数個の第２ソースラインをドライビングするための色相データは、ＲＧＢデータを含むことを特徴とする請求項６５に記載のドライビングシステム。
【請求項６７】
前記ディスプレイ装置の前記複数個の第１ソースラインをドライビングするための色相データと前記ディスプレイ装置の前記複数個の第２ソースラインをドライビングするための色相データとを比較する手段は、
前記ディスプレイ装置の前記複数個の第１ソースラインをドライビングするための色相データの要素と前記ディスプレイ装置の前記複数個の第２ソースラインをドライビングするための色相データの前記第１ソースラインに係る色相データの対応要素とを比較する手段を備えることを特徴とする請求項６５に記載のドライビングシステム。
【請求項６８】
前記ディスプレイ装置の前記複数個の第１ソースラインをドライビングするための色相データと前記ディスプレイ装置の前記複数個の第２ソースラインをドライビングするための色相データとを比較する手段は、
前記ディスプレイ装置の前記複数個の第１ソースラインをドライビングするための全ての色相データと前記ディスプレイ装置の前記複数個の第２ソースラインをドライビングするための全ての色相データとを比較する手段を備えることを特徴とする請求項６５に記載のドライビングシステム。
【請求項６９】
前記ディスプレイ装置の第１ソースラインをドライビングするための前記色相データは、Ｒチャンネルデータ、Ｇチャンネルデータ、Ｂチャンネルデータ及び／または白色データを含み、
前記ディスプレイ装置の少なくとも一つの他のソースラインをドライビングするための前記色相データは、Ｒチャンネルデータ、Ｇチャンネルデータ、Ｂチャンネルデータ及び／または白色データを含むことを特徴とする請求項５６に記載のドライビングシステム。
【請求項７０】
前記ディスプレイ装置は、液晶表示装置であることを特徴とする請求項５６に記載のドライビングシステム。
【請求項７１】
第１及び第２バッファ増幅器を利用するディスプレイパネルの第１及び第２ソースラインを駆動する方法において、
前記第１及び第２ソースラインによってドライビングされるディスプレイデータの値が同じであれば、前記第２ソースラインをドライブする前記第１及び第２バッファ増幅器のうち一つを選択する段階を有し、
前記第１バッファ増幅器が前記第２ソースラインをドライビングするために選択されれば、前記第２バッファ増幅器をディスエーブルさせる段階をさらに有することを特徴とするドライビング方法。
【請求項７２】
前記第１及び第２ソースラインは、前記ディスプレイ装置の同じピクセルのためのものであることを特徴とする請求項７１に記載のドライビング方法。
【請求項７３】
前記第１及び第２ソースラインは、前記ディスプレイ装置の異なるピクセルのためのものであることを特徴とする請求項７１に記載のドライビング方法。
【請求項７４】
前記第１及び第２ソースラインによってドライビングされるディスプレイデータの値に基づいて、前記第２ソースラインをドライブする前記第１及び第２バッファ増幅器のうち一つを選択する段階は、
前記第１及び第２ソースラインによってドライビングされるディスプレイデータの値が互いに同じであれば、前記第２ソースラインをドライブするために前記第１バッファ増幅器を選択する段階と、
前記第１及び第２ソースラインによってドライビングされるディスプレイデータの値が相異なれば、前記第２ソースラインをドライブするために前記第２バッファ増幅器を選択する段階と、を含むことを特徴とする請求項７１に記載のドライビング方法。
【請求項７５】
前記第１バッファ増幅器が前記第２ソースラインをドライビングするために選択されれば、前記第１バッファ増幅器によって前記第２ソースラインをドライビングする段階と、
前記第２バッファ増幅器が前記第２ソースラインをドライビングするために選択されれば、前記第２バッファ増幅器によって前記第２ソースラインをドライビングする段階と、を含むことを特徴とする請求項７４に記載のドライビング方法。
【請求項７６】
ディスプレイパネルの第１及び第２ソースラインをドライビングするシステムにおいて、
第１及び第２バッファ増幅器と、
前記第１及び第２ソースラインによってドライビングされるディスプレイデータの値が同じであれば、前記第２ソースラインをドライブする前記第１及び第２バッファ増幅器のうち一つを選択する手段と、を備え、
前記第１バッファ増幅器が前記第２ソースラインをドライビングするために選択されれば、前記第２バッファ増幅器をディスエーブルさせる手段をさらに備えることを特徴とするドライビングシステム。
【請求項７７】
前記第１及び第２ソースラインは、前記ディスプレイ装置の同じピクセルのためのものであることを特徴とする請求項７６に記載のドライビングシステム。
【請求項７８】
前記第１及び第２ソースラインは、前記ディスプレイ装置の異なるピクセルのためのものであることを特徴とする請求項７６に記載のドライビングシステム。
【請求項７９】
前記第１及び第２ソースラインによってドライビングされるディスプレイデータの値に基づいて、前記第２ソースラインをドライブする前記第１及び第２バッファ増幅器のうち一つを選択する手段は、
前記第１及び第２ソースラインによってドライビングされるディスプレイデータの値が互いに同じであれば、前記第２ソースラインをドライブするために前記第１バッファ増幅器を選択する手段と、
前記第１及び第２ソースラインによってドライビングされるディスプレイデータの値が相異なれば、前記第２ソースラインをドライブするために前記第２バッファ増幅器を選択する手段と、を備えることを特徴とする請求項７６に記載のドライビングシステム。
【請求項８０】
前記第１バッファ増幅器が前記第２ソースラインをドライビングするために選択されれば、前記第１バッファ増幅器によって前記第２ソースラインをドライビングする手段と、
前記第２バッファ増幅器が前記第２ソースラインをドライビングするために選択されれば、前記第２バッファ増幅器によって前記第２ソースラインをドライビングする手段と、をさらに備えることを特徴とする請求項７９に記載のドライビングシステム。
【請求項８１】
ディスプレイパネルと、
ディスプレイデータ値を比較するデータ比較回路と、
前記ディスプレイデータを受信し、前記受信されたディスプレイデータに基づいて、ディスプレイ装置のソースラインをドライビングする複数個のソースラインドライバと、
前記ディスプレイデータ値の比較結果が同じであれば、前記ディスプレイ装置の異なるソースラインを前記複数個のソースラインドライバのそれぞれに選択的に連結させるために前記データ比較回路及び前記複数個のソースラインドライバに応答するソースラインスイッチングネットワークと、を備え、
前記複数個のソースラインドライバは、
前記ディスプレイデータ値の比較結果が同じであれば、前記複数個のソースラインドライバのそれぞれを選択的に非活性化させるために前記データ比較回路に応答することを特徴とするディスプレイ装置。
【請求項８２】
前記ソースラインスイッチングネットワークは、
前記複数個のソースラインドライバのうち非活性化されたものを前記ディスプレイ装置の前記ソースラインから分離させることを特徴とする請求項８１に記載のディスプレイ装置。
【請求項８３】
前記データ比較回路が二つのソースラインに対応するディスプレイデータ値が同じであると決定すれば、前記ソースラインスイッチングネットワークは、一つのソースラインドライバを前記ディスプレイ装置の前記二つのソースラインに連結することを特徴とする請求項８１に記載のディスプレイ装置。
【請求項８４】
前記ディスプレイパネルは、液晶表示装置パネルであることを特徴とする請求項８１に記載のディスプレイ装置。
【請求項８５】
前記ディスプレイパネルは、有機光発散装置であることを特徴とする請求項８１に記載のディスプレイ装置。
【請求項８６】
色相データを受信して対応するパネルのセルの色相を制御するバッファ回路において、
第１色相データを受信して対応するセルの色相を制御する少なくとも一つの第１ソースラインドライバ回路と、
第２色相データを受信して対応するセルの色相を制御する少なくとも一つの第２ソースラインドライバ回路と、を備え、
前記少なくとも一つの第１ソースラインドライバ回路は、内部に第１ないし第ｎバッファを備え、前記少なくとも一つの第２ソースラインドライバ回路は、内部に第ｎ＋１ないし第２ｎバッファを備え、
前記第１色相データ及び前記第２色相データが同じであれば、前記第１ないし第２ｎバッファのうち、一部のバッファ増幅器はターンオンされ、残りのバッファ増幅器はターンオフされ、
前記ターンオンされたバッファ増幅器は、
前記第１ソースラインドライバ回路及び前記第２ソースラインドライバ回路に対応するセルの色相を同時に制御することを特徴とするソースラインドライバ回路。
【請求項８７】
前記ｎは３であり、
前記第１色相データ及び前記第２色相データが同じであれば、前記第１ないし第２ｎバッファ増幅器のうち、奇数番目のバッファ増幅器はターンオンされ、偶数番目のバッファ増幅器はターンオフされ、
前記第１色相データ及び前記第２色相データはそれぞれ、
Ｒチャンネルデータ、Ｇチャンネルデータ及びＢチャンネルデータを含み、
前記第１色相データ及び前記第２色相データが印加されるセルは相互隣接したことを特徴とする請求項８６に記載のソースラインドライバ回路。
【請求項８８】
前記第１ソースラインドライバ回路は、
前記第１色相データの第１Ｒチャンネルデータ、第１Ｇチャンネルデータ及び第１Ｂチャンネルデータをそれぞれ受信してデコーディングし、対応する第１Ｒアナログ値、第１Ｇアナログ値及び第１Ｂアナログ値をそれぞれ出力する第１Ｒデコーディング部、第１Ｇデコーディング部及び第１Ｂデコーディング部と、
前記第１Ｒアナログ値、前記第１Ｇアナログ値及び前記第１Ｂアナログ値をそれぞれバッファリングして出力し、第１動作制御信号及び第２動作制御信号による比較結果が同じであれば、ターンオンまたはターンオフされる第１Ｒバッファ増幅器、第１Ｇバッファ増幅器及び第１Ｂバッファ増幅器と、
第１連結制御信号及び第２連結制御信号による比較結果が同じであれば、前記第１Ｒバッファ増幅器、前記第１Ｇバッファ増幅器及び前記第１Ｂバッファ増幅器の出力端とそれぞれ対応する第１Ｒ出力ライン、第１Ｇ出力ライン及び第１Ｂ出力ラインを連結または遮断する第１Ｒスイッチ、第１Ｇスイッチ及び第１Ｂスイッチと、を備え、
前記第２制御部は、
前記第２色相データの第２Ｒチャンネルデータ、第２Ｇチャンネルデータ及び第２Ｂチャンネルデータをそれぞれ受信してデコーディングし、対応する第２Ｒアナログ値、第２Ｇアナログ値及び第２Ｂアナログ値をそれぞれ出力する第２Ｒデコーディング部、第２Ｇデコーディング部及び第２Ｂデコーディング部と、
前記第２Ｒアナログ値、前記第２Ｇアナログ値及び前記第２Ｂアナログ値をそれぞれバッファリングして出力し、前記第１動作制御信号及び前記第２動作制御信号による比較結果が同じであれば、ターンオンまたはターンオフされる第２Ｒバッファ増幅器、第２Ｇバッファ増幅器及び第２Ｂバッファ増幅器と、
前記第１連結制御信号及び前記第２連結制御信号による比較結果が同じであれば、前記第２Ｒバッファ増幅器、前記第２Ｇバッファ増幅器及び前記第２Ｂバッファ増幅器の出力端とそれぞれ対応する第２Ｒ出力ライン、第２Ｇ出力ライン及び第２Ｂ出力ラインを連結または遮断する第２Ｒスイッチ、第２Ｇスイッチ及び第２Ｂスイッチと、を備え、
前記第１Ｒバッファ増幅器の出力端と前記第２Ｒ出力ラインとは、第１選択スイッチによって連結または遮断され、
前記第１Ｇ出力ラインと前記第２Ｇバッファの出力ラインとは、第２選択スイッチによって連結または遮断され、
前記第１Ｂバッファの出力端と前記第２Ｂ出力ラインとは、第３選択スイッチによって連結または遮断され、
前記第１選択スイッチ、前記第２選択スイッチ及び前記第３選択スイッチは、選択制御信号による比較結果が同じであれば制御されることを特徴とする請求項８７に記載のソースラインドライバ回路。
【請求項８９】
前記第１色相データと前記第２色相データとが同じであれば、前記第１動作制御信号は、活性化されて前記第１Ｒバッファ増幅器、前記第１Ｂバッファ増幅器及び前記第２Ｇバッファ増幅器をターンオンさせ、前記第２動作制御信号は、非活性化されて前記第１Ｇバッファ増幅器、前記第２Ｒバッファ増幅器及び前記第２Ｂバッファ増幅器をターンオフさせ、
前記第１色相データと前記第２色相データとが相異なれば、前記第１動作制御信号及び前記第２動作制御信号が何れも活性化されて前記全てのバッファ増幅器をターンオンさせることを特徴とする請求項８８に記載のソースラインドライバ回路。
【請求項９０】
前記第１色相データと前記第２色相データとが同じであれば、前記第１連結制御信号は、活性化されて前記第１Ｒスイッチ、前記第１Ｂスイッチ及び前記第２Ｇスイッチを連結し、前記第２連結制御信号は、非活性化されて前記第１Ｇスイッチ、前記第２Ｒスイッチ及び前記第２Ｂスイッチを遮断し、
前記第１色相データと前記第２色相データとが相異なれば、前記第１連結制御信号及び前記第２連結制御信号が何れも活性化されて前記第１Ｒスイッチ、前記第１Ｇスイッチ、前記第１Ｂスイッチ、前記第２Ｒスイッチ、前記第２Ｇスイッチ及び前記第２Ｂスイッチを連結することを特徴とする請求項８９に記載のソースラインドライバ回路。
【請求項９１】
前記第１色相データと前記第２色相データとが同じであれば、前記選択制御信号は、活性化されて前記第１選択スイッチ、前記第２選択スイッチ及び前記第３選択スイッチを連結し、
前記第１色相データと前記第２色相データとが相異なれば、前記選択制御信号は、非活性化されて前記第１選択スイッチ、前記第２選択スイッチ及び前記第３選択スイッチを遮断することを特徴とする請求項８９に記載のソースラインドライバ回路。
【請求項９２】
第１Ｒ出力ライン、第１Ｇ出力ライン、第１Ｂ出力ライン、第２Ｒ出力ライン、第２Ｇ出力ライン及び第２Ｂ出力ラインのうち一部の出力ラインに前記バッファをテストするためのプローブチップが連結され、
前記選択制御信号と前記第２連結制御信号とが交互に活性化されることによって、前記全てのバッファがテストされることを特徴とする請求項８８に記載のソースラインドライバ回路。
【請求項９３】
第２動作制御信号による比較結果が同じであれば制御されるバッファ増幅器に対応する出力ラインに前記プローブチップが連結され、
前記選択制御信号が活性化され、前記第２連結制御信号が非活性化されれば、前記第１動作制御信号による比較結果が同じであれば制御されるバッファ増幅器がテストされ、
前記選択制御信号が非活性化され、前記第２連結制御信号が活性化されれば、前記第２動作制御信号による比較結果が同じであれば制御されるバッファ増幅器がテストされることを特徴とする請求項９２に記載のソースラインドライバ回路。
【請求項９４】
テストモードの場合、外部のテスト装置から制御信号を受信して前記選択制御信号及び前記第２連結制御信号を制御する制御ロジックをさらに備えることを特徴とする請求項９３に記載のソースラインドライバ回路。
【請求項９５】
前記第１及び第２色相データが同じであるか否かを比較した結果及び動作信号、連結信号及び選択信号による比較結果が同じであれば、前記第１及び第２動作制御信号、前記第１及び第２連結制御信号及び前記選択制御信号を発生させるデータ比較回路をさらに備えることを特徴とする請求項８６に記載のソースラインドライバ回路。
【発明の詳細な説明】
【技術分野】
【０００１】
本発明は液晶表示装置（ＬＣＤ：Ｌｉｑｕｉｄ Ｃｒｙｓｔａｌ Ｄｉｓｐｌａｙ）のパネルを駆動させるソースドライバに係り、特に、消費電流を減少させうるソースドライバ及び方法に関する。
【背景技術】
【０００２】
ＬＣＤのパネルを駆動させるドライバには、ゲートドライバとソースドライバとがある。ゲートドライバは、パネルのゲートラインを一つずつ順次に活性化させる。ソースドライバは、活性化されたゲートラインに連結されたセルにデータを伝送する。
【０００３】
図１は、一般的なソースドライバの構造を表す図面である。
【０００４】
パネル（図示せず）の色相を表す色相データは、ＲチャンネルデータＤＡＴＡ＿Ｒ、ＧチャンネルデータＤＡＴＡ＿Ｇ及びＢチャンネルデータＤＡＴＡ＿Ｂの３個のチャンネルデータより構成される。３個のチャンネルデータＤＡＴＡ＿Ｒ，ＤＡＴＡ＿Ｇ，ＤＡＴＡ＿Ｂがパネル（図示せず）のセルに印加されれば、セルは一つの色相を表す。
【０００５】
デコーディング部ＤＲは、ＲチャンネルデータＤＡＴＡ＿Ｒを受信して対応するＲ電圧信号Ｒ＿ＶＯＬを発生させる。Ｒ電圧信号Ｒ＿ＶＯＬは、ＲバッファＲ＿ＢＵＦによってバッファリングされて出力される。ＲバッファＲ＿ＢＵＦの出力端ＲＢＯＮとＲ出力端ＲＯＵＴとは、連結制御信号Ｒ＿ＣＯＣＯＮによって制御されるスイッチＲ＿ＳＷによって連結または遮断される。
【０００６】
スイッチＲ＿ＳＷが連結されれば、Ｒ電圧信号Ｒ＿ＶＯＬは、パネル（図示せず）の対応するセルに印加される。
【０００７】
デコーディング部ＤＧは、ＧチャンネルデータＤＡＴＡ＿Ｇを受信して対応するＧ電圧信号Ｇ＿ＶＯＬを発生させる。Ｇ電圧信号Ｇ＿ＶＯＬは、ＧバッファＧ＿ＢＵＦによってバッファリングされて出力される。ＧバッファＧ＿ＢＵＦの出力端ＧＢＯＮとＧ出力端ＧＯＵＴとは、連結制御信号Ｇ＿ＣＯＣＯＮによって制御されるスイッチＧ＿ＳＷによって連結または遮断される。
【０００８】
スイッチＧ＿ＳＷが連結されれば、Ｇ電圧信号Ｇ＿ＶＯＬは、パネル（図示せず）の対応するセルに印加される。
【０００９】
同様に、デコーディング部ＤＢは、ＢチャンネルデータＤＡＴＡ＿Ｂを受信して対応するＢ電圧信号Ｂ＿ＶＯＬを発生させる。Ｂ電圧信号Ｂ＿ＶＯＬは、ＢバッファＢ＿ＢＵＦによってバッファリングされて出力される。ＢバッファＢ＿ＢＵＦの出力端ＢＢＯＮとＢ出力端ＢＯＵＴとは、連結制御信号Ｂ＿ＣＯＣＯＮによって制御されるスイッチＢ＿ＳＷによって連結または遮断される。
【００１０】
スイッチＢ＿ＳＷが連結されれば、Ｂ電圧信号Ｂ＿ＶＯＬは、パネル（図示せず）の対応するセルに印加される。
【００１１】
Ｒ電圧信号Ｒ＿ＶＯＬ、Ｇ電圧信号Ｇ＿ＶＯＬ及びＢ電圧信号Ｂ＿ＶＯＬは、同じセルに印加されてセルが色相を表すように構成される。ソースドライバ１００は、図１のように、チャンネルデータＤＡＴＡ＿Ｒ，ＤＡＴＡ＿Ｇ，ＤＡＴＡ＿Ｂに対応するデコーダＤＲ，ＤＧ，ＤＢとバッファＲ＿ＢＵＦ，Ｇ＿ＢＵＦ，Ｂ＿ＢＵＦ及びスイッチＲ＿ＳＷ，Ｇ＿ＳＷ，Ｂ＿ＳＷがパネル（図示せず）のセル数に対応する数ほど存在する。
【００１２】
一つのチャンネルデータ、例えばＲチャンネルデータＤＡＴＡ＿Ｒを受信して対応するセルに印加するデコーディング部ＤＲ、ＲバッファＲ＿ＢＵＦ及びスイッチＲ＿ＳＷをチャンネルという。したがって、一つのセルが色相を表すように構成されるためには、３個のチャンネルが必要である。
【００１３】
図２は、選択スイッチを備える従来のソースドライバ構造を表す図面である。
【００１４】
テスト目的のために、選択スイッチＧＲＡＹ＿ＯＮ，ＣＨ＿ＭＵＸ３０によってバッファ１０，２０のうち選択的に一つのみがデコーダと連結される。また、バッファ１０，２０は、テスト目的のためにＡＭＰ＿ＯＮ／ＯＦＦ信号によってディスエーブルされうる。
【００１５】
選択スイッチＧＲＡＹ＿ＯＮ，ＣＨ＿ＭＵＸ３０は、二つのチャンネルを同時にテストするために利用される。テスト動作時には、選択スイッチＧＲＡＹ＿ＯＮ，ＣＨ＿ＭＵＸ３０を連結して二つのチャンネルを同時にテストすれば、必要なテストピンの数を半分に減らせる。
【発明の開示】
【発明が解決しようとする課題】
【００１６】
本発明が解決しようとする技術的課題は、受信されるチャンネルデータまたは色相データが同じである場合、消費される電流を減少させうるソースラインドライバ回路、バッファ回路、ディスプレイ装置、ドライビングシステムを提供することである。
【００１７】
本発明が解決しようとする他の技術的課題は、受信されるチャンネルデータまたは色相データが同じである場合、消費される電流を減少させうるソースラインドライビング方法、ドライビング方法を提供することである。
【課題を解決するための手段】
【００１８】
前記課題を解決するための本発明の実施形態によるソースラインドライビング方法は、ディスプレイ装置の第１ソースラインに連結された第１バッファをドライビングするための第１色相データと前記ディスプレイ装置の第２ソースラインに連結された第２バッファをドライビングするための第２色相データとを比較する段階、及び前記第１色相データと前記第２色相データとの比較結果が同じであれば、前記第１バッファを用いて前記第２ソースラインを選択的にドライビングする段階を有し、
前記第１色相データと前記第２色相データとの比較結果が同じであれば、前記第２バッファを選択的にディスエーブルすることを特徴とする。
【００１９】
前記第１色相データ及び前記第２色相データは、それぞれ前記第１及び第２ソースラインに提供されるＲチャンネルデータ、Ｇチャンネルデータ及びＢチャンネルデータを含む。
【００２０】
前記第１色相データは、Ｒチャンネルデータ、Ｇチャンネルデータ及びＢチャンネルデータのうち一つを含み、前記第２色相データは、Ｒチャンネルデータ、Ｇチャンネルデータ及びＢチャンネルデータのうち前記第１色相データの対応するチャンネルデータ一つを含み、前記第１ソースライン及び第２ソースラインは、二つの異なるピクセルに連結されたソースラインのうち対応するソースラインである。
【００２１】
前記第１色相データは、Ｒチャンネルデータ、Ｇチャンネルデータ及びＢチャンネルデータのうち一つを含み、前記第２色相データは、Ｒチャンネルデータ、Ｇチャンネルデータ及びＢチャンネルデータのうち他の一つを含む。前記比較段階は、前記第１色相データと前記第２色相データとが同じ値を有するか否かを決定する。
【００２２】
前記第１及び第２色相データは、二つの異なるピクセルのためのＲＧＢデータを含み、前記第１バッファは、第１Ｒバッファ、第１Ｇバッファ及び第１Ｂバッファを備え、前記第２バッファは、第２Ｒバッファ、第２Ｇバッファ及び第２Ｂバッファを含む。
【００２３】
前記第２バッファを選択的にディスエーブルする段階は、前記第１バッファが前記第１ソースライン及び前記第２ソースラインをドライビングする場合、前記第２バッファと前記第２ソースラインとの連結を選択的に切り離す。
【００２４】
前記第２バッファを選択的にディスエーブルする段階は、前記第２バッファの差動増幅入力回路及び／または出力ドライブ回路を選択的にディスエーブルする。前記第１ソースライン及び前記第２ソースラインは、同じピクセルのソースラインである。前記第１ソースライン及び前記第２ソースラインは、異なるピクセルのソースラインである。
【００２５】
前記第１色相データ及び前記第２色相データは、それぞれ前記第１及び第２ソースラインに提供されるＲチャンネルデータ、Ｇチャンネルデータ、Ｂチャンネルデータ及び／または白色データを含む。前記ディスプレイ装置はＬＣＤである。
【００２６】
ディスプレイ装置の第１ソースラインに連結された第１バッファをドライビングするための第１色相データと前記ディスプレイ装置の第２ソースラインに連結された第２バッファをドライビングするための第２色相データとを比較する段階は、複数個の第１ソースラインと連結された複数個の第１バッファをドライビングするための第１色相データと複数個の第２ソースラインと連結された複数個の第２バッファをドライビングするための第２色相データとを比較する段階を含む。
【００２７】
前記第２バッファを選択的にディスエーブルし、前記第１色相データと前記第２色相データとの比較結果が同じであれば、前記第１バッファを用いて前記第２ソースラインを選択的にドライビングする段階は、前記複数個の第２バッファを選択的にディスエーブルし、前記第１色相データと前記第２色相データとの比較結果が同じであれば、前記複数個の第１バッファを用いて前記複数個の第２ソースラインを選択的にドライビングする段階を含む。
【００２８】
前記課題を解決するための本発明の他の実施形態によるソースラインドライビング方法は、ディスプレイ装置の第１ソースラインをドライビングするための色相データと前記ディスプレイ装置の少なくとも一つの他のソースラインをドライビングするための色相データとを比較する段階と、前記比較結果が同じであれば、共通ソースラインバッファによって前記少なくとも一つの他のソースライン及び前記第１ソースラインを選択的にドライビングする段階と、前記少なくとも一つの他のソースラインが前記共通ソースラインバッファによってドライビングされれば、前記少なくとも一つの他のソースラインのソースラインバッファを非活性化させる段階と、を含む。
【００２９】
前記色相データを比較する段階は、前記ディスプレイ装置の第１ソースラインをドライビングするための色相データと前記ディスプレイ装置の複数個の他のソースラインのそれぞれをドライビングするための色相データとを比較する段階を含む。
【００３０】
前記比較結果が同じであれば、共通ソースラインバッファによって前記少なくとも一つの他のソースライン及び前記第１ソースラインを選択的にドライビングする段階は、前記第１ソースライン及び前記共通ソースラインバッファに前記複数個の他のソースラインのうち選択されたラインを駆動する段階を含む。
【００３１】
ソースラインバッファを非活性化させる段階は、前記共通ソースラインバッファによって駆動される前記複数個のソースラインのそれぞれのためのソースラインバッファを非活性化させる。
【００３２】
ソースラインバッファを非活性化させる段階は、前記ソースラインバッファの差動増幅入力回路及び／または出力ドライブ回路を選択的にディスエーブルする。
【００３３】
前記第１ソースライン及び前記少なくとも一つの他のソースラインは、少なくとも二つの異なるピクセルのための同じ色成分が提供されるソースラインである。前記第１ソースライン及び前記少なくとも一つの他のソースラインは、異なる色成分が提供されるソースラインである。
【００３４】
前記第１ソースラインは、複数個の第１ソースラインを備え、前記少なくとも一つの他のソースラインは、複数個の第２ソースラインを備え、前記ディスプレイ装置の第１ソースラインをドライビングするための色相データと前記ディスプレイ装置の少なくとも一つの他のソースラインをドライビングするための色相データとを比較する段階は、前記ディスプレイ装置の前記複数個の第１ソースラインをドライビングするための色相データと前記ディスプレイ装置の複数個の第２ソースラインをドライビングするための色相データとを比較する段階を含む。
【００３５】
前記比較結果が同じであれば、共通ソースラインバッファによって前記少なくとも一つの他のソースライン及び前記第１ソースラインを選択的にドライビングする段階は、前記比較結果が同じであれば、複数個の共通ソースラインバッファによって前記複数個の第１ソースラインと前記複数個の第２ソースラインとを選択的にドライビングする段階を含む。
【００３６】
前記少なくとも一つの他のソースラインが前記共通ソースラインバッファによってドライビングされれば、前記少なくとも一つの他のソースラインのソースラインバッファを非活性化させる段階は、前記複数個の第２ソースラインが前記複数個の共通ソースラインバッファによってドライビングされれば、前記複数個の第２ソースラインのソースラインバッファを非活性化させる段階を含む。
【００３７】
前記課題を解決するための本発明の他の実施形態によるディスプレイ装置のソースラインをドライビングするバッファ回路は、データ比較回路、第１バッファ、第２バッファ及び第１スイッチング回路を備える。
【００３８】
データ比較回路は、前記ディスプレイ装置の第１ソースラインに提供された第１色相データ値と第２ソースラインに提供された第２色相データ値とを比較する。第１バッファは、前記第１色相データ値に基づいて前記第１ソースラインをドライビングする。
【００３９】
第２バッファは、前記第２色相データ値に基づいて前記第２ソースラインをドライビングする第２バッファであって、前記第２バッファは、前記データ比較回路による比較結果が同じであれば前記第２バッファを選択的にディスエーブルさせる。第１スイッチング回路は、前記データ比較回路による比較結果が同じであれば前記第１バッファを前記第２ソースラインに電気的に選択的に連結する。
【００４０】
前記データ比較回路は、前記第１色相データと前記第２色相データとが同じ値を有するか否かを決定する。前記第１色相データ及び前記第２色相データは、前記ディスプレイ装置の二つの異なるピクセルのためのＲＧＢデータを含み、前記第１バッファは、第１赤ソースラインをドライビングする第１赤バッファ、第１緑ソースラインをドライビングする第１緑バッファ、及び第１青ソースラインをドライビングする第１青バッファを備える。
【００４１】
前記第２バッファは、前記データ比較回路による比較結果が同じであれば選択的にディスエーブルされ、第２赤ソースラインをドライビングする第２赤バッファ、前記データ比較回路による比較結果が同じであれば選択的にディスエーブルされ、第２緑ソースラインをドライビングする第２緑バッファ、前記データ比較回路による比較結果が同じであれば選択的にディスエーブルされ、第２青ソースラインをドライビングする第２青バッファを備える。
【００４２】
前記第１スイッチング回路は、前記データ比較回路による比較結果が同じであれば前記第１赤バッファを前記第２赤ソースラインに選択的に電気的に連結し、前記データ比較回路による比較結果が同じであれば前記第１緑バッファを前記第２緑ソースラインに選択的に電気的に連結し、前記データ比較回路による比較結果が同じであれば前記第１青バッファを前記第２青ソースラインに選択的に電気的に連結する。
【００４３】
前記データ比較回路による比較結果が同じであれば、前記第２バッファと前記第２ソースラインとの連結を電気的に選択的に解いて、前記第１バッファが前記第２ソースラインに連結されれば、前記第２バッファの連結を解く第２スイッチング回路をさらに備える。
【００４４】
前記データ比較回路は、前記第１及び第２色相データ値の対応するデータビットを比較する複数個のロジックゲート、前記複数個のロジックゲートの出力が何れも同じ値であれば、前記複数個のロジックゲートの出力を合算し、第１信号を出力する合算ロジックゲート及び前記合算ロジックゲートの出力に基づいて前記第１及び第２スイッチング回路に制御信号を選択的に提供する複数個のマルチプレクサを備える。
【００４５】
前記複数個のマルチプレクサは、複数個の排他的論理和（ＸＯＲ：ＥｘｃｌｕｓｉｖｅＯｐｅｒａｔｉｏｎｓ Ｒｅｓｅａｒｃｈ）ゲートを備え、前記合算ロジックゲートは、反転論理和（ＮＯＲ：Ｎｅｇａｔｉｖｅ ＯＲ）ゲートを備える。前記合算ロジックゲートは、複数個のロジックゲートを備える。
【００４６】
前記複数個のマルチプレクサは、前記第２バッファの動作を制御する制御信号を発生する第１マルチプレクサ、前記第１バッファを前記第２ソースラインに連結する前記第１スイッチング回路の動作を制御する制御信号を発生させる第２マルチプレクサ及び前記第２バッファを前記第２ソースラインから分離させる前記第２スイッチング回路の動作を制御する制御信号を発生させる第３マルチプレクサを備える。
【００４７】
前記第２バッファは、前記第２バッファがディスエーブルされれば、電圧源からトランジスタを選択的に分離させる入力回路を備える。前記第２バッファの出力電圧源から前記第２バッファの出力ラインを分離させる出力回路の出力ドライブトランジスタを制御する前記出力回路をさらに備える。
【００４８】
前記課題を解決するための本発明の実施形態によるディスプレイ装置のソースラインをドライビングするシステムは、比較手段及びドライビング手段を備える。
【００４９】
比較手段は、ディスプレイ装置の第１ソースラインと連結された第１バッファをドライビングするための第１色相データと前記ディスプレイ装置の第２ソースラインに連結された第２バッファをドライビングするための第２色相データとを比較する。
ドライビング手段は、前記比較手段による比較結果が同じであれば前記第１バッファを用いて前記第２ソースラインを選択的にドライビングする。
【００５０】
前記比較手段に応答して、前記第２バッファを選択的にディスエーブルする手段をさらに備える。前記比較手段は、前記第１色相データと前記第２色相データとが同じ値を有するか否かを決定する手段を備える。
【００５１】
前記課題を解決するための本発明の実施形態によるディスプレイ装置のソースラインをドライビングするシステムは、比較手段、ドライビング手段及び非活性化手段を備える。
【００５２】
比較手段は、ディスプレイ装置の第１ソースラインをドライビングするための色相データと前記ディスプレイ装置の少なくとも一つの他のソースラインをドライビングするための色相データとを比較する。
【００５３】
ドライビング手段は、前記比較手段による比較結果が同じであれば共通ソースラインバッファによって前記少なくとも一つの他のソースライン及び前記第１ソースラインを選択的にドライビングする。非活性化手段は、前記少なくとも一つの他のソースラインが前記共通ソースラインバッファによってドライビングされれば、前記少なくとも一つの他のソースラインのソースラインバッファを非活性化させる。
【００５４】
前記比較手段は、前記ディスプレイ装置の第１ソースラインをドライビングするための色相データと前記ディスプレイ装置の複数個の他のソースラインのそれぞれをドライビングするための色相データとを比較する手段を備える。
【００５５】
前記比較結果が同じであれば、共通ソースラインバッファに前記少なくとも一つの他のソースライン及び前記第１ソースラインを選択的にドライビングする手段は、前記第１ソースライン及び前記共通ソースラインバッファに前記複数個の他のソースラインのうち選択されたラインを駆動する手段を備える。
【００５６】
ソースラインバッファを非活性化させる手段は、前記共通ソースラインバッファによって駆動される前記複数個のソースラインのそれぞれのためのソースラインバッファを非活性化させる手段を備える。
【００５７】
前記課題を解決するための本発明の実施形態によるディスプレイパネルの第１及び第２ソースラインをドライビングするシステムは、第１及び第２バッファ増幅器及び前記第１及び第２ソースラインによってドライビングされるディスプレイデータの値が同じであれば、前記第２ソースラインをドライブする前記第１及び第２バッファ増幅器のうち一つを選択する手段を備える。
【００５８】
前記第１バッファ増幅器が前記第２ソースラインをドライビングするために選択されれば、前記第２バッファ増幅器をディスエーブルさせる手段をさらに備える。前記第１及び第２ソースラインは、前記ディスプレイ装置の同じピクセルのためのものである。
【００５９】
前記第１及び第２ソースラインによってドライビングされるディスプレイデータの値に基づいて、前記第２ソースラインをドライブする前記第１及び第２バッファ増幅器のうち一つを選択する手段は、前記第１及び第２ソースラインによってドライビングされるディスプレイデータの値が互いに同じであれば、前記第２ソースラインをドライブするために前記第１バッファ増幅器を選択する手段及び前記第１及び第２ソースラインによってドライビングされるディスプレイデータの値が相異なれば、前記第２ソースラインをドライブするために前記第２バッファ増幅器を選択する手段を備える。
【００６０】
前記第１バッファ増幅器が前記第２ソースラインをドライビングするために選択されれば、前記第１バッファ増幅器によって前記第２ソースラインをドライビングする手段と、前記第２バッファ増幅器が前記第２ソースラインをドライビングするために選択されれば、前記第２バッファ増幅器によって前記第２ソースラインをドライビングする手段と、をさらに備える。
【００６１】
前記課題を解決するための本発明の実施形態によるディスプレイ装置は、ディスプレイパネル、ディスプレイデータ値を比較するデータ比較回路、前記ディスプレイデータを受信し、前記受信されたディスプレイデータに基づいてディスプレイ装置のソースラインをドライビングする複数個のソースラインドライバ及び前記ディスプレイデータ値の比較結果が同じであれば、前記ディスプレイ装置の異なるソースラインを前記複数個のソースラインドライバのそれぞれに選択的に連結させるために前記データ比較回路及び前記複数個のソースラインドライバに応答するソースラインスイッチングネットワークを備え、
前記複数個のソースラインドライバは、前記ディスプレイデータ値の比較結果が同じであれば、前記複数個のソースラインドライバのそれぞれを選択的に非活性化させるために前記データ比較回路に応答する、ことを特徴とする。
【００６３】
前記ソースラインスイッチングネットワークは、前記複数個のソースラインドライバのうち非活性化されたものを前記ディスプレイ装置の前記ソースラインから分離させる。前記データ比較回路が二つのソースラインに対応するディスプレイデータ値が同じであると決定すれば、前記ソースラインスイッチングネットワークは、一つのソースラインドライバを前記ディスプレイ装置の前記二つのソースラインに連結する。
【００６４】
前記課題を解決するための本発明の他の実施形態によるソースラインドライバ回路は、色相データを受信して対応するパネルのセルの色相を制御するバッファ回路において、第１及び第２ソースラインドライバ回路を備える。
【００６５】
少なくとも一つの第１ソースラインドライバ回路は、第１色相データを受信して対応するセルの色相を制御する。少なくとも一つの第２ソースラインドライバ回路は、第２色相データを受信して対応するセルの色相を制御する。
【００６６】
前記少なくとも一つの第１ソースラインドライバ回路は、内部に第１ないし第ｎバッファを備え、前記少なくとも一つの第２ソースラインドライバ回路は、内部に第ｎ＋１ないし第２ｎバッファを備える。
【００６７】
前記第１色相データと前記第２色相データとが同じであれば、前記第１ないし第２ｎバッファのうち、一部のバッファ増幅器はターンオンされ、残りのバッファ増幅器はターンオフされ、前記ターンオンされたバッファ増幅器は、前記第１ソースラインドライバ回路及び前記第２ソースラインドライバ回路に対応するセルの色相を同時に制御する。
【発明の効果】
【００６８】
本発明によるソースラインドライバ回路及びソースラインドライバ回路の消費電流の減少方法は、ソースドライバに印加される色相データが同じであるか、またはチャンネルデータが同じである場合、消費電流を減らせる。
【発明を実施するための最良の形態】
【００６９】
本発明と本発明の動作上の利点及び本発明の実施によって解決される目的を十分に理解するためには、本発明の望ましい実施形態を例示する添付図面及び図面に記載された内容を参照しなければならない。
【００７０】
以下、添付した図面を参照して本発明の望ましい実施形態を説明することによって、本発明を詳細に説明する。各図面に提示された同じ参照符号は同様の構成要素を表す。
【００７１】
図３は、本発明の実施形態によるブロック図を説明する図面である。
【００７２】
図３を参照すれば、ディスプレイ装置５０は、ディスプレイパネル６０、ディスプレイデータ値を比較するデータ比較回路９０、ディスプレイデータを受信し、受信されたディスプレイデータに基づいてディスプレイパネル６０のソースラインをドライブする複数個のソースラインドライバ７０及びディスプレイデータ値の比較結果に基づいてディスプレイ装置５０の他のソースラインと複数個のソースラインドライバ７０のそれぞれを選択的に連結するために、データ比較回路９０及び複数個のソースラインドライバ７０に応答するソースラインスイッチングネットワーク８０を備える。
【００７３】
複数個のソースラインドライバ７０は、ディスプレイデータ値の比較結果に基づいて、複数個のソースラインドライバ７０のそれぞれを選択的に非活性化させるためにデータ比較回路９０に応答する。ソースラインスイッチングネットワーク８０は、複数個のソースラインドライバ７０のうち非活性化されたものをディスプレイパネル６０のソースラインから分離させる。
【００７４】
ソースラインスイッチングネットワーク８０は、データ比較回路９０が二つまたはそれ以上のソースラインに対応するディスプレイデータ値が互いに同じであれば、一つのソースラインドライバを前記二つまたはそれ以上のソースラインに連結する。
【００７５】
ディスプレイデータの比較は、二つまたはそれ以上のソースラインのデータ値を比較し、データ値が同じであれば、ソースラインドライバ７０の共通バッファ増幅器に前記二つまたはそれ以上のソースラインをドライブする。
【００７６】
比較データの解像度は、ピクセルまたはサブピクセルでありうる。例えば、比較は、二つのソースラインのためのデータ間で行われ、前記二つのソースラインは、一つのバッファ増幅器によってドライビングされる。
【００７７】
ソースラインが、一つのバッファ増幅器によって駆動されるか、分離された二つのバッファ増幅器によって駆動されるかに関係なく、同じディスプレイ内でのデータ比較結果に基づいてソースラインを駆動するかぎり、比較されたデータ値の重要性に関係なく前記二つの値は比較されうる。
【００７８】
例えば、二つのデータ値は、二つの異なるピクセルのためにディスプレイされる同じ色成分値に対応するか、同一または異なるピクセルのためにディスプレイされる異なる色成分値に対応するか、または各色成分の結合に対応する。
【００７９】
比較されるデータ値の解像度にかかわらず、ソースラインのドライビングを制御する解像度は同じでなければならない。したがって、例えば、ソースラインをドライビングするための制御がピクセルレベルであれば、データの比較もピクセルレベルでなければならない。同様に、ソースラインをドライビングするための制御が色成分またはチャンネルレベルであれば、データの比較も色成分またはチャンネルレベルでなければならない。
【００８０】
ソースラインドライバ７０、ソースラインスイッチングネットワーク８０及びデータ比較回路９０の特別な構造は、望ましい制御解像度とアプリケーションとのために受容されうる複雑度に依存する。ソースラインスイッチングネットワーク８０は、バッファ増幅器をソースラインに選択的に連結する任意の回路構造でありうる。
【００８１】
したがって、本発明の実施形態による回路構造は、後述するものに限定されず、ソースラインに提供されたデータの比較値に基づいて、ソースラインドライバがソースラインに連結される構造であるか、非活性化させうる任意の構造であるかの少なくともいずれかである。以下、図４〜図８を利用して本発明の実施形態が説明される。
【００８２】
図４は、本発明の実施形態によるソースラインドライバ回路の一部を示すブロック図である。
【００８３】
図４を参照すれば、ソースラインドライバ回路２００は、第１ピクセルのための第１ソースラインドライバ回路２１０と第２ピクセルのための第２ソースラインドライバ回路２２０とを備える。
【００８４】
データ比較回路２３０は、第１及び第２ソースラインドライバ回路２１０，２２０によって駆動されるディスプレイパネルのピクセルの二つのカラムの二つのピクセルのためのＲＧＢデータを受信し、選択的に第１及び第２ソースラインドライバ回路２１０，２２０の動作を制御する共通制御信号を受信する。
【００８５】
データ比較回路２３０は、受信されたＲＧＢデータと共通制御信号とを利用して第１及び第２ソースラインドライバ回路２１０，２２０を制御するための個々の制御信号を発生させる。
【００８６】
データ比較回路２３０に入力されるＲＧＢデータは、１８ビットデータＤＡＴＡ＿ＲＧＢ１，ＤＡＴＡ＿ＲＧＢ２であって、それぞれ６ビットの第１ＲチャンネルデータＤＡＴＡ＿Ｒ１、第１ＧチャンネルデータＤＡＴＡ＿Ｇ１、第１ＢチャンネルデータＤＡＴＡ＿Ｂ１、第２ＲチャンネルデータＤＡＴＡ＿Ｒ２、第２ＧチャンネルデータＤＡＴＡ＿Ｇ２及び第２ＢチャンネルデータＤＡＴＡ＿Ｂ２として、第１及び第２ソースラインドライバ回路２１０，２２０のデコーディング部ＤＲ１，ＤＧ１，ＤＢ１，ＤＲ２，ＤＧ２，Ｄ２に提供される。
【００８７】
デコーディング部ＤＲ１，ＤＧ１，ＤＢ１，ＤＲ２，ＤＧ２，ＤＢ２は、ＲＧＢデータをアナログ値Ｒ＿ＶＯＬ１，Ｇ＿ＶＯＬ１，Ｂ＿ＶＯＬ１，Ｒ＿ＶＯＬ２，Ｇ＿ＶＯＬ２，Ｂ＿ＶＯＬ２に変換して、対応するバッファ増幅器Ｒ＿ＢＵＦ１，Ｇ＿ＢＵＦ１，Ｂ＿ＢＵＦ１，Ｒ＿ＢＵＦ２，Ｇ＿ＢＵＦ２，Ｂ＿ＢＵＦ２に印加する。
【００８８】
バッファ増幅器Ｒ＿ＢＵＦ１，Ｇ＿ＢＵＦ１，Ｂ＿ＢＵＦ１，Ｒ＿ＢＵＦ２，Ｇ＿ＢＵＦ２，Ｂ＿ＢＵＦ２は、制御信号ＯＰＣＯＮ１，ＯＰＣＯＮ２によって選択的に非活性化される。バッファ増幅器Ｒ＿ＢＵＦ１，Ｇ＿ＢＵＦ１，Ｂ＿ＢＵＦ１，Ｒ＿ＢＵＦ２，Ｇ＿ＢＵＦ２，Ｂ＿ＢＵＦ２の出力ＲＢＯＮ１，ＧＢＯＮ１，ＢＢＯＮ１，ＲＢＯＮ２，ＧＢＯＮ２，ＢＢＯＮ２は、分離されて制御される二つのスイッチセットＲ＿ＳＷ１，Ｇ＿ＳＷ１，Ｂ＿ＳＷ１，Ｒ＿ＳＷ２，Ｇ＿ＳＷ２，Ｂ＿ＳＷ２によって第１及び第２ソースラインドライバ回路２１０，２２０の対応する出力ラインＲＯＵＴ１，ＧＯＵＴ１，ＢＯＵＴ１，ＲＯＵＴ２，ＧＯＵＴ２，ＢＯＵＴ２に連結される。
【００８９】
スイッチセットＲ＿ＳＷ１，Ｇ＿ＳＷ１，Ｂ＿ＳＷ１は、制御信号ＣＯＣＯＮ１に応答して制御され、スイッチセットＲ＿ＳＷ２，Ｇ＿ＳＷ２，Ｂ＿ＳＷ２は、制御信号ＣＯＣＯＮ２に応答して制御される。
【００９０】
バッファ増幅器Ｒ＿ＢＵＦ１，Ｇ＿ＢＵＦ１，Ｂ＿ＢＵＦ１の出力ＲＢＯＮ１，ＧＢＯＮ１，ＢＢＯＮ１は、スイッチＳＳＷ１，ＳＳＷ２，ＳＳＷ３によって出力ラインＲＯＵＴ２，ＧＯＵＴ２，ＢＯＵＴ２に選択的に連結される。スイッチＳＳＷ１，ＳＳＷ２，ＳＳＷ３は、制御信号ＳＥＬ＿ＣＯＮによって制御される。
【００９１】
ＯＰＳ、ＣＯＳ、ＳＥＬＳ信号は、ピクセルレベルの制御信号ＯＰＣＯＮ１，ＯＰＣＯＮ２，ＣＯＣＯＮ１，ＣＯＣＯＮ２，ＳＥＬ＿ＣＯＮを発生させるために利用されるグローバル選択及び制御信号でありうる。
【００９２】
ＯＰＳ、ＣＯＳ、ＳＥＬＳ信号とデータ比較回路２３０から発生するピクセルレベルの制御信号ＯＰＣＯＮ１，ＯＰＣＯＮ２，ＣＯＣＯＮ１，ＣＯＣＯＮ２，ＳＥＬ＿ＣＯＮを論理和演算することによって、ＯＰＳ、ＣＯＳ、ＳＥＬＳ信号は、データ比較回路２３０を通過してソースラインドライバ回路２１０，２２０に印加されるテストモード信号として動作しうる。
【００９３】
このような方式で減少したピン数を有するテスト装置が、本発明の実施形態と共に使用されうる。
【００９４】
１８ビットのＲＧＢデータＤＡＴＡ＿ＲＧＢ１，ＤＡＴＡ＿ＲＧＢ２が互いに同じであれば、第２ソースラインドライバ回路２２０のバッファ増幅器Ｒ＿ＢＵＦ２，Ｇ＿ＢＵＦ２，Ｂ＿ＢＵＦ２はディスエーブルされ、データ比較回路２３０は、第１ソースラインドライバ回路２１０を利用して出力ラインＲＯＵＴ１，ＧＯＵＴ１，ＢＯＵＴ１，ＲＯＵＴ２，ＧＯＵＴ２，ＢＯＵＴ２を制御する。
【００９５】
すなわち、バッファ増幅器Ｒ＿ＢＵＦ１，Ｇ＿ＢＵＦ１，Ｂ＿ＢＵＦ１は、データの比較結果に基づいて、２セットのソースラインを駆動する共通バッファ増幅器として動作する。具体的には、下記の表１は、データの比較結果による制御信号の状態を説明するものである。
【００９６】
【表１】
0004815615.tif 000002
【００９７】
上記の表１で、活性信号は、対応するスイッチの連結やバッファ増幅器の活性を意味する。すなわち、例えば、ＯＰＣＯＮ２信号が活性であれば、バッファ増幅器Ｒ＿ＢＵＦ２，Ｇ＿ＢＵＦ２，Ｂ＿ＢＵＦ２が活性化され、ＯＰＣＯＮ２信号が非活性であれば、バッファ増幅器Ｒ＿ＢＵＦ２，Ｇ＿ＢＵＦ２，Ｂ＿ＢＵＦ２が非活性化される。同様に、ＳＥＬ＿ＣＯＮ信号が活性化されれば、スイッチＳＳＷ１，ＳＳＷ２，ＳＳＷ３が連結され、ＳＥＬ＿ＣＯＮ信号が非活性化されれば、スイッチＳＳＷ１，ＳＳＷ２，ＳＳＷ３が分離される。
図４は、データの比較がピクセルレベルで行われているため、二つのピクセルが同じ値を持てば、一方のピクセルに連結されたバッファ増幅器はディスエーブルされ、二つのピクセルのソースラインは、他方のピクセルのバッファ増幅器によって駆動されることを表す。
【００９８】
図５は、本発明の他の実施形態によるソースラインドライバを説明する図面である。
【００９９】
図５のソースラインドライバ４００は、ピクセル間のデータの比較がデータ要素（例えば、色成分）レベルで行われる。図５を参照すれば、二つのピクセルのデータの要素の値を比較してソースラインドライバ回路４１０，４２０を制御する３個のデータ比較回路４３０，４３２，４３４が提供される。
【０１００】
バッファ増幅器Ｒ＿ＢＵＦ１，Ｇ＿ＢＵＦ１，Ｂ＿ＢＵＦ１，Ｒ＿ＢＵＦ２，Ｇ＿ＢＵＦ２，Ｂ＿ＢＵＦ２は、対応する制御信号Ｒ＿ＯＰＣＯＮ１，Ｒ＿ＯＰＣＯＮ２，Ｇ＿ＯＰＣＯＮ１，Ｇ＿ＯＰＣＯＮ２，Ｂ＿ＯＰＣＯＮ１，Ｂ＿ＯＰＣＯＮ２によって選択的に非活性化される。
【０１０１】
バッファ増幅器Ｒ＿ＢＵＦ１，Ｇ＿ＢＵＦ１，Ｂ＿ＢＵＦ１，Ｒ＿ＢＵＦ２，Ｇ＿ＢＵＦ２，Ｂ＿ＢＵＦ２の出力ＲＢＯＮ１，ＧＢＯＮ１，ＢＢＯＮ１，ＲＢＯＮ２，ＧＢＯＮ２，ＢＢＯＮ２は、それぞれ個別的に制御されるスイッチＲ＿ＳＷ１，Ｇ＿ＳＷ１，Ｂ＿ＳＷ１，Ｒ＿ＳＷ２，Ｇ＿ＳＷ２，Ｂ＿ＳＷ２によって第１及び第２ソースラインドライバ回路４１０，４２０の対応する出力ラインＲＯＵＴ１，ＧＯＵＴ１，ＢＯＵＴ１，ＲＯＵＴ２，ＧＯＵＴ２，ＢＯＵＴ２に連結される。
【０１０２】
バッファ増幅器Ｒ＿ＢＵＦ１，Ｇ＿ＢＵＦ１，Ｂ＿ＢＵＦ１の出力ＲＢＯＮ１，ＧＢＯＮ１，ＢＢＯＮ１は、スイッチＳＳＷ１，ＳＳＷ２，ＳＳＷ３によって出力ラインＲＯＵＴ２，ＧＯＵＴ２，ＢＯＵＴ２に選択的に連結される。
【０１０３】
第１データ比較回路４３０は、二つのピクセルの赤の色成分値ＤＡＴＡ＿Ｒ１，ＤＡＴＡ＿Ｒ２を比較し、制御信号Ｒ＿ＯＰＣＯＮ１，Ｒ＿ＯＰＣＯＮ２，Ｒ＿ＣＯＣＯＮ１，Ｒ＿ＣＯＣＯＮ２を発生させることによって、バッファ増幅器Ｒ＿ＢＵＦ１，Ｒ＿ＢＵＦ２とスイッチＳＳＷ１，Ｒ＿ＳＷ１，Ｒ＿ＳＷ２とを制御する。
【０１０４】
第２データ比較回路４３２は、二つのピクセルの緑の色成分値ＤＡＴＡ＿Ｇ１，ＤＡＴＡ＿Ｇ２を比較し、制御信号Ｇ＿ＯＰＣＯＮ１，Ｇ＿ＯＰＣＯＮ２，Ｇ＿ＣＯＣＯＮ１，Ｇ＿ＣＯＣＯＮ２を発生させることによって、バッファ増幅器Ｇ＿ＢＵＦ１，Ｇ＿ＢＵＦ２とスイッチＳＳＷ２，Ｇ＿ＳＷ１，Ｇ＿ＳＷ２とを制御する。
【０１０５】
第３データ比較回路４３４は、二つのピクセルの青の色成分値ＤＡＴＡ＿Ｂ１，ＤＡＴＡ＿Ｂ２を比較し、制御信号Ｂ＿ＯＰＣＯＮ１，Ｂ＿ＯＰＣＯＮ２，Ｂ＿ＣＯＣＯＮ１，Ｂ＿ＣＯＣＯＮ２を発生させることによって、バッファ増幅器Ｂ＿ＢＵＦ１，Ｂ＿ＢＵＦ２とスイッチＳＳＷ３，Ｂ＿ＳＷ１，Ｂ＿ＳＷ２とを制御する。
【０１０６】
図４を参照して上述した方式と同様の方式で、ＯＰＳ１、ＣＯＳ１、ＳＥＬＳ１、ＯＰＳ２、ＣＯＳ２、ＳＥＬＳ２、ＯＰＳ３、ＣＯＳ３、ＳＥＬＳ３信号は、ピクセルの要素レベルの制御信号Ｒ＿ＯＰＣＯＮ１，Ｒ＿ＯＰＣＯＮ２，Ｒ＿ＣＯＣＯＮ１，Ｒ＿ＣＯＮＯＮ２，ＳＷＬ＿ＣＯＮ１，Ｇ＿ＯＰＣＯＮ１，Ｇ＿ＯＰＣＯＮ２，Ｇ＿ＣＯＮＯＮ１，Ｇ＿ＣＯＮＯＮ２，ＳＥＬ＿ＣＯＮ２，Ｂ＿ＯＰＣＯＮ１，Ｂ＿ＯＰＣＯＮ２，Ｂ＿ＣＯＮＯＮ１，Ｂ＿ＣＯＣＯＮ２，ＳＥＬ＿ＣＯＮ３を発生させるのに利用されるグローバル選択及び制御信号でありうる。
【０１０７】
ＯＰＳ１、ＣＯＳ１、ＳＥＬＳ１、ＯＰＳ２、ＣＯＳ２、ＳＥＬＳ２、ＯＰＳ３、ＣＯＳ３、ＳＥＬＳ３信号と対応するデータ比較回路４３０，４３２，４３４から発生するピクセル要素レベルの制御信号Ｒ＿ＯＰＣＯＮ１，Ｒ＿ＯＰＣＯＮ２，Ｒ＿ＣＯＣＯＮ１，Ｒ＿ＣＯＣＯＮ２，ＳＥＬ＿ＣＯＮ１，Ｇ＿ＯＰＣＯＮ１，Ｇ＿ＯＰＣＯＮ２，Ｇ＿ＣＯＣＯＮ１，Ｇ＿ＣＯＣＯＮ２，ＳＥＬ＿ＣＯＮ２，Ｂ＿ＯＰＣＯＮ１，Ｂ＿ＯＰＣＯＮ２，Ｂ＿ＣＯＣＯＮ１，Ｂ＿ＣＯＣＯＮ２，ＳＥＬ＿ＣＯＮ３を論理和演算することによって、ＯＰＳ１、ＣＯＳ１、ＳＥＬＳ１、ＯＰＳ２、ＣＯＳ２、ＳＥＬＳ２、ＯＰＳ３、ＣＯＳ３、ＳＥＬＳ３信号は、データ比較回路４３０，４３２，４３４を通過してソースラインドライバ回路４１０，４２０に印加されるテストモード信号として動作しうる。
【０１０８】
このような方式で減少したピン数を有するテスト装置が、本発明の実施形態と共に使用されうる。
【０１０９】
データ比較回路４３０，４３２，４３４は、二つのピクセルに対応する６ビットのＲＧＢ要素データを比較し、データが互いに同じであれば、第２ソースラインドライバ回路４２０のバッファ増幅器Ｒ＿ＢＵＦ２，Ｇ＿ＢＵＦ２，Ｂ＿ＢＵＦ２のうち一つをディスエーブルさせ、第１ソースラインドライバ回路４１０を利用して出力ラインＲＯＵＴ１，ＧＯＵＴ１，ＢＯＵＴ１，ＲＯＵＴ２，ＧＯＵＴ２，ＢＯＵＴ２を制御する。
【０１１０】
すなわち、バッファ増幅器Ｒ＿ＢＵＦ１，Ｇ＿ＢＵＦ１，Ｂ＿ＢＵＦ１は、データ比較に基づいてソースラインの２セットを駆動する共通バッファ増幅器として動作する。特に、下記の表２〜４は、データ比較の結果による制御信号の状態を説明する。
【０１１１】
【表２】
0004815615.tif 000003
【０１１２】
【表３】
0004815615.tif 000004
【０１１３】
【表４】
0004815615.tif 000005
【０１１４】
上記の表２〜４で、活性信号は、対応するスイッチの連結やバッファ増幅器の活性化を意味する。
図６は、本発明の他の実施形態によるソースラインドライバを説明する図面である。
【０１１５】
図６のソースラインドライバ５００は、ソースラインに駆動されるための値の比較が一つのピクセルに対して行われる。ここで、チャンネルは、ピクセルの要素を意味する。すなわち、例えば、ＲＧＢシステムで、一つのピクセルは、赤色チャンネル、緑色チャンネル及び青色チャンネルを備える。
【０１１６】
図６の実施形態では、一つのピクセルの二つのチャンネルのデータを比較し、前記ピクセルの追加的なチャンネルが比較され、対応するドライバは、そのような比較に基づいて制御される。
【０１１７】
図６を参照すれば、ピクセルの第１チャンネルのための第１ソースラインドライバ５１０及び前記ピクセルの第２チャンネルのための第２ソースラインドライバ５２０がデータ比較回路５３０によって制御される。
【０１１８】
データ比較回路５３０は、第１及び第２ソースラインドライバ回路５１０，５２０によって駆動されるピクセルのチャンネルのためのデータを受信し、選択的に第１及び第２ソースラインドライバ回路５１０，５２０の動作を制御する共通制御信号を受信する。
【０１１９】
データ比較回路５３０は、受信されたチャンネルデータと共通制御信号とを利用して第１及び第２ソースラインドライバ回路５１０，５２０を制御するための個々の制御信号を発生させる。
【０１２０】
チャンネルデータＣＨＮ＿ＤＡＴＡ１，ＣＨＮ＿ＤＡＴＡ２がデータ比較回路５３０に入力され、ソースラインドライバ回路５１０，５２０のそれぞれのチャンネルデコーダ回路ＣＨＮ＿ＤＥＣ１，ＣＨＮ＿ＤＥＣ２に入力される。チャンネルデコーダ回路ＣＨＮ＿ＤＥＣ１，ＣＨＮ＿ＤＥＣ２は、前記デジタルチャンネルデータをアナログ値ＣＨＮ＿ＶＯＬ１，ＣＨＮ＿ＶＯＬ２に変換して、対応するバッファ増幅器ＣＨＮ＿ＢＵＦ１，ＣＨＮ＿ＢＵＦ２に印加する。
【０１２１】
バッファ増幅器ＣＨＮ＿ＢＵＦ１，ＣＨＮ＿ＢＵＦ２は、制御信号ＯＰＣＯＮ１，ＯＰＣＯＮ２によって選択的に非活性化される。バッファ増幅器ＣＨＮ＿ＢＵＦ１，ＣＨＮ＿ＢＵＦ２の出力ＲＢＯＮ，ＧＢＯＮは、分離されて制御される二つのスイッチＣ＿ＳＷ１，Ｃ＿ＳＷ２によって第１及び第２ソースラインドライバ回路５１０，５２０の対応する出力ラインＲＯＵＴ，ＧＯＵＴに連結される。
【０１２２】
スイッチＣ＿ＳＷ１は、制御信号ＣＯＣＯＮ１に応答して制御され、スイッチＣ＿ＳＷ２は、制御信号ＣＯＣＯＮ２に応答して制御される。バッファ増幅器ＣＨＮ＿ＢＵＦ１の出力ＲＢＯＮは、スイッチＳＳＷによって出力ラインＧＯＵＴに選択的に連結される。スイッチＳＳＷは、制御信号ＳＥＬ＿ＣＯＮによって制御される。
【０１２３】
ＯＰＳ、ＣＯＳ、ＳＥＬＳ信号は、チャンネルレベルの制御信号ＯＰＣＯＮ１，ＯＰＣＯＮ２，ＣＯＣＯＮ１，ＣＯＣＯＮ２，ＳＥＬ＿ＣＯＮを発生させるのに利用されるグロ−バル選択及び制御信号でありうる。
【０１２４】
ＯＰＳ、ＣＯＳ、ＳＥＬＳ信号とデータ比較回路５３０から発生するチャンネルレベルの制御信号ＯＰＣＯＮ１，ＯＰＣＯＮ２，ＣＯＣＯＮ１，ＣＯＣＯＮ２，ＳＥＬ＿ＣＯＮとを論理和演算することによって、ＯＰＳ、ＣＯＳ、ＳＥＬＳ信号は、データ比較回路５３０を通過してソースラインドライバ回路５１０，５２０に印加されるテストモード信号として動作しうる。
【０１２５】
このような方式で減少したピン数を有するテスト装置が、本発明の実施形態と共に使用されうる。
【０１２６】
データ比較回路５３０は、ピクセルの二つのチャンネルのためのチャンネルデータＣＨＮ＿ＤＡＴＡ１，ＤＨＮ＿ＤＡＴＡ２を比較し、データが互いに同じであれば、第２ソースラインドライバ回路５２０のバッファ増幅器ＣＨＮ＿ＢＵＦ２をディスエーブルさせ、第１ソースラインドライバ回路５１０を利用して出力ラインＲＯＵＴ，ＧＯＵＴを制御する。
【０１２７】
すなわち、バッファ増幅器ＣＨＮ＿ＢＵＦ１は、二つのチャンネルのためのデータの比較に基づいて、ピクセルの二つのチャンネルデータのための共通バッファ増幅器として動作する。特に、下記の表５は、データ比較の結果による制御信号の状態を説明する。
【０１２８】
【表５】
0004815615.tif 000006
【０１２９】
上記の表５で、活性信号は、対応するスイッチの連結やバッファ増幅器の活性を意味する。すなわち、例えば、ＯＰＣＯＮ２信号が活性化であれば、バッファ増幅器ＣＨＮ＿ＢＵＦ２が活性化され、ＯＰＣＯＮ２信号が非活性化であれば、バッファ増幅器ＣＨＮ＿ＢＵＦ２が非活性化される。同様に、ＳＥＬ＿ＣＯＮ信号が活性化されれば、スイッチＳＳＷが連結され、ＳＥＬ＿ＣＯＮ信号が非活性化されれば、スイッチＳＳＷが分離される。
図７Ａ及び図７Ｂは、バッファ増幅回路の一部を説明する図面である。
【０１３０】
図７Ａは、バッファ増幅器の入力回路であって、入力トランジスタＴ２，Ｔ３及び制御トランジスタＴ１を備える。制御トランジスタＴ１は、入力トランジスタＴ２，Ｔ３を電源電圧ＶＤＤから選択的に分離することによって、バッファ増幅器の入力回路の電流を減少させうる。
【０１３１】
同様に、図７Ｂは、バッファ増幅器の出力回路であって、出力トランジスタＴ１１，Ｔ１３及び制御トランジスタＴ１０，Ｔ１２を備える。制御トランジスタＴ１０，Ｔ１２は、出力トランジスタＴ１１，Ｔ１３のゲートを電圧ＶＤＤまたはＶＳＳに選択的に連結することによって、バッファ増幅器の出力回路の電流を減少させうる。
【０１３２】
図８は、データ比較回路を説明する図面である。
【０１３３】
図８を参照すれば、Ｎビットの第１入力データＤＡＴＡ＿Ａ＜１＞，．．．，ＤＡＴＡ＿Ａ＜Ｎ＞は、対応するＮビットの第２入力データＤＡＴＡ＿Ｂ＜１＞，．．．，ＤＡＴＡ＿Ｂ＜Ｎ＞とＸＯＲ手段７００，７０２，．．．，７０６によって比較される。
【０１３４】
ＸＯＲ手段７００，７０２，．．，７０６は、ＮＯＲ手段７１０によってＮＯＲ演算され、ＮＯＲ手段７１０の出力は、マルチプレクサ７２０，７２２，７２４を制御するのに利用される。マルチプレクサ７２０，７２２，７２４の出力は、ＯＰＳ、ＣＯＳ及びＳＥＬＳ信号とＮＯＲ手段（図示せず）によってＮＯＲ演算される。
【０１３５】
ＮＯＲ手段７１０の出力は、ＯＰＣＯＮ１とＧＲＯＵＮＤとを入力として受信する第１マルチプレクサ７２０に提供される。入力データ対のうち少なくとも一つのビット対が互いに同じではないことを意味する“ローレベル”がＮＯＲ手段７１０の出力として出力されれば、ＯＰＣＯＮ１がＯＰＣＯＮ２として第１マルチプレクサ７２０から出力され、バッファ増幅器が活性化される。
【０１３６】
入力データ対がいずれも互いに同じであることを意味する“ハイレベル”がＮＯＲ手段７１０の出力として出力されれば、ＧＲＯＵＮＤがＯＰＣＯＮ２として第１マルチプレクサ７２０から出力され、第２バッファ増幅器が非活性化される。
【０１３７】
ＮＯＲ手段７１０の出力は、ＣＯＣＯＮ１とＧＲＯＵＮＤとを入力として受信する第２マルチプレクサ７２２に提供される。入力データ対のうち少なくとも一つのビット対が互いに同じではないことを意味する“ローレベル”がＮＯＲ手段７１０の出力として出力されれば、ＣＯＣＯＮ１がＣＯＣＯＮ２として第２マルチプレクサ７２２から出力され、バッファ増幅器が対応する出力ラインに連結される。
【０１３８】
入力データ対が何れも互いに同じであることを意味する“ハイレベル”がＮＯＲ手段７１０の出力として出力されれば、ＧＲＯＵＮＤがＣＯＣＯＮ２として第２マルチプレクサ７２２から出力され、第２バッファ増幅器が対応する出力ラインから分離される。
【０１３９】
ＮＯＲ手段７１０の出力は、ＶＤＤとＧＲＯＵＮＤとを入力として受信する第３マルチプレクサ７２４に提供される。入力データ対のうち少なくとも一つのビット対が互いに同じではないことを意味する“ローレベル”がＮＯＲ手段７１０の出力として出力されれば、ＧＲＯＵＮＤがＳＥＬＣＯＮとして第３マルチプレクサ７２４から出力され、第２バッファ増幅器に連結された出力ラインから第１バッファ増幅器が分離される。
【０１４０】
入力データ対が何れも互いに同じであることを意味する“ハイレベル”がＮＯＲ手段７１０の出力として出力されれば、ＶＤＤがＳＥＬＣＯＮとして第３マルチプレクサ７２４から出力され、第２バッファ増幅器に連結された出力ラインから第１バッファ増幅器が連結される。
【０１４１】
図８のデータ比較回路は、データビットを比較するためにＸＯＲ手段やＮＯＲ手段を利用する。しかし、当業者であれば、他の構造の回路も利用できるということが分かるであろう。例えば、ＸＮＯＲ手段がデータビットを比較して論理積手段（ＡＮＤ）が比較値を集合するのに利用されうる。
【０１４２】
また、マルチプレクサの入力を反転させることによってＸＯＲ手段の出力を集合するＮＯＲまたはＡＮＤゲートがＯＲまたはＮＡＮＤゲートになりうる。同様に、集合ロジックゲート（すなわち、ＮＯＲ手段７１０）は、図８でＮ入力を有するが、同じ機能を行うために多重ロジックゲートが利用されることもある。したがって、本発明の実施形態は、図８の構造に限定されていない。
【０１４３】
図９は、本発明のさらに他の実施形態によるソースラインドライバを説明する図面である。
【０１４４】
本発明の実施形態による図９のソースドライバ８００は、パネル（図示せず）の相互に隣接したセルを制御する色相データが同じである場合、ソースドライバ８００の内部のバッファ増幅器のうち一部バッファ増幅器をターンオンさせ、残りのバッファ増幅器はターンオフさせた後、ターンオンされたバッファ増幅器を利用して相互に隣接したセルの色相を同時に制御する。
【０１４５】
１８ビットデータＤＡＴＡ＿ＲＧＢ１，ＤＡＴＡ＿ＲＧＢ２、それぞれ６ビットである第１ＲチャンネルデータＤＡＴＡ＿Ｒ１、第１ＧチャンネルデータＤＡＴＡ＿Ｇ１及び第１ＢチャンネルデータＤＡＴＡ＿Ｂ１、第２ＲチャンネルデータＤＡＴＡ＿Ｒ２、第２ＧチャンネルデータＤＡＴＡ＿Ｇ２及び第２ＢチャンネルデータＤＡＴＡ＿Ｂ２については前述したので、ここでは説明は省略する。
【０１４６】
色相データＤＡＴＡ＿ＲＧＢ１と色相データＤＡＴＡ＿ＲＧＢ２とが同じであるという意味は、第１ＲチャンネルデータＤＡＴＡ＿Ｒ１と第２ＲチャンネルデータＤＡＴＡ＿Ｒ２とが同じであり、第１ＧチャンネルデータＤＡＴＡ＿Ｇ１と第２ＧチャンネルデータＤＡＴＡ＿Ｇ２とが同じであり、第１ＢチャンネルデータＤＡＴＡ＿Ｂ１と第２ＢチャンネルデータＤＡＴＡ＿Ｂ２とが同じであるという意味である。
【０１４７】
ソースラインドライバ回路８００のデータ比較回路８３０は、図５のデータ比較回路２３０と同様の機能を持つので、ここでは詳細な説明は省略する。
【０１４８】
第１ソースラインドライバ回路８１０は、色相データＤＡＴＡ＿ＲＧＢ１を受信して対応するセルの色相を制御する。第２ソースラインドライバ回路８２０は、色相データＤＡＴＡ＿ＲＧＢ２を受信して対応するセルの色相を制御する。
【０１４９】
ソースラインドライバ回路８００は、第１ソースラインドライバ回路８１０または第２ソースラインドライバ回路８２０と同様の構造を有するドライバ回路を複数個備える。ここでは説明の便宜のために、任意の第１ソースラインドライバ回路８１０と第２ソースラインドライバ回路８２０のみを説明する。
【０１５０】
第１ソースラインドライバ回路８１０と第２ソースラインドライバ回路８２０とが制御するパネル（図示せず）のセルは相互隣接される。また、図９では、二つの色相データが同じである場合のみを例として説明しているが、これは実施形態に過ぎず、本発明は、二つの色相データが同じである場合にのみ限定されるものではない。すなわち、３個以上の色相データが互いに同じである場合にも、本発明は適用されうる。
【０１５１】
色相データＤＡＴＡ＿ＲＧＢ１及び色相データＤＡＴＡ＿ＲＧＢ２が同じであれば、バッファ増幅器のうち一部はターンオンされ、残りのバッファ増幅器はターンオフされる。
【０１５２】
さらに説明すれば、色相データＤＡＴＡ＿ＲＧＢ１及び色相データＤＡＴＡ＿ＲＧＢ２が同じであれば、バッファ増幅器のうち奇数番目のバッファ増幅器はターンオンされ、偶数番目のバッファ増幅器はターンオフされる。
【０１５３】
そして、バッファ増幅器の動作は、データ比較回路８３０から出力される制御信号ＯＰＣＯＮ１，ＯＰＣＯＮ２，ＣＯＣＯＮ１，ＣＯＣＯＮ２，ＳＥＬ＿ＣＯＮによって制御される。
【０１５４】
第１ソースラインドライバ回路８１０は、デコーディング部ＤＲ１，ＤＧ１，ＤＢ１、バッファ増幅器Ｒ＿ＢＵＦ１，Ｇ＿ＢＵＦ１，Ｂ＿ＢＵＦ１、スイッチＲ＿ＳＷ１，Ｇ＿ＳＷ１Ｂ＿ＳＷ１を備える。
【０１５５】
デコーディング部ＤＲ１，ＤＧ１，ＤＢ１は、第１ＲチャンネルデータＤＡＴＡ＿Ｒ１、第１ＧチャンネルデータＤＡＴＡ＿Ｇ１及び第１ＢチャンネルデータＤＡＴＡ＿Ｂ１をデコーディングしてアナログ値Ｒ＿ＶＯＬ１，Ｇ＿ＶＯＬ１，Ｂ＿ＶＯＬ１を出力する。
【０１５６】
第１ＲチャンネルデータＤＡＴＡ＿Ｒ１は、６ビットのデータである。第１ＲチャンネルデータＤＡＴＡ＿Ｒ１と第２ＲチャンネルデータＤＡＴＡ＿Ｒ２とが同じであれば、アナログ値Ｒ＿ＶＯＬ１，Ｒ＿ＶＯＬ２は同じ電圧レベルを有する。
【０１５７】
したがって、第２ＲチャンネルデータＤＡＴＡ＿Ｒ２の代わりに、第１ＲチャンネルデータＤＡＴＡ＿Ｒ１を利用して第２ＲチャンネルデータＤＡＴＡ＿Ｒ２に対応するセルの色相を制御しうる。バッファ増幅器Ｒ＿ＢＵＦ１，Ｇ＿ＢＵＦ１，Ｂ＿ＢＵＦ１は、それぞれ第１及び第２動作制御信号ＯＰＣＯＮ１，ＯＰＣＯＮ２，ＯＰＣＯＮ１に応答してターンオンまたはターンオフされる。
【０１５８】
スイッチＲ＿ＳＷ１，Ｂ＿ＳＷ１は、第１連結制御信号ＣＯＣＯＮ１に応答してバッファ増幅器Ｒ＿ＢＵＦ１，Ｂ＿ＢＵＦ１の出力端ＲＢＯＮ１，ＢＢＯＮ１とそれぞれ対応する出力ラインＲＯＵＴ１，ＢＯＵＴ１を連結または遮断する。
【０１５９】
スイッチＧ＿ＳＷ１は、第２連結制御信号ＣＯＣＯＮ２に応答してバッファ増幅器Ｇ＿ＢＵＦ１の出力端ＧＢＯＮ１と対応する出力ラインＧＯＵＴ１を連結または遮断する。
【０１６０】
第２ソースラインドライバ回路８２０の構造は、第１ソースラインドライバ回路８１０と同様であるので、ここでは詳細な説明を省略する。バッファ増幅器Ｒ＿ＢＵＦ２，Ｂ＿ＢＵＦ２は、アナログ値Ｒ＿ＶＯＬ２，Ｂ＿ＶＯＬ２をそれぞれバッファリングして出力し、第２動作制御信号ＯＰＣＯＮ２に応答してターンオンまたはターンオフされる。
【０１６１】
バッファ増幅器Ｇ＿ＢＵＦ２は、アナログ値Ｇ＿ＶＯＬ２をバッファリングして出力し、第１動作制御信号ＯＰＣＯＮ１に応答してターンオンまたはターンオフされる。スイッチＲ＿ＳＷ２，Ｂ＿ＳＷ２は、第２連結制御信号ＣＯＣＯＮ２に応答してバッファ増幅器Ｒ＿ＢＵＦ２，Ｂ＿ＢＵＦ２の出力端ＲＢＯＮ２，ＢＢＯＮ２と対応する出力ラインＲＯＵＴ２，ＢＯＵＴ２を連結または遮断する。
【０１６２】
スイッチＧ＿ＳＷ２は、第１連結制御信号ＣＯＣＯＮ１に応答して、バッファ増幅器Ｇ＿ＢＵＦ２の出力端ＧＢＯＮ２と対応する出力ラインＧＯＵＴ２を連結または遮断する。
【０１６３】
バッファ増幅器Ｒ＿ＢＵＦ１の出力端ＲＢＯＮ１と出力ラインＲＯＵＴ２とは、第１選択スイッチＳＳＷ１によって連結または遮断され、バッファ増幅器Ｇ＿ＢＵＦ２の出力端ＧＢＯＮ２と出力ラインＧＯＵＴ１とは、第２選択スイッチＳＳＷ２によって連結または遮断され、バッファ増幅器Ｂ＿ＢＵＦ１の出力端ＢＢＯＮ１と出力ラインＢＯＵＴ２とは、第３選択スイッチＳＳＷ３によって連結または遮断される。
【０１６４】
第１〜第３選択スイッチＳＳＷ１，ＳＳＷ２，ＳＳＷ３は、選択制御信号ＳＥＬ＿ＣＯＮに応答して制御される。
【０１６５】
色相データＤＡＴＡ＿ＲＧＢ１と色相データＤＡＴＡ＿ＲＧＢ２とが同じであれば、第１動作制御信号ＯＰＣＯＮ１は、活性化されてバッファ増幅器Ｒ＿ＢＵＦ１，Ｇ＿ＢＵＦ２，Ｂ＿ＢＵＦ１をターンオンさせる。そして、第２動作制御信号ＯＰＣＯＮ２は、非活性化されてバッファ増幅器Ｒ＿ＢＵＦ２，Ｇ＿ＢＵＦ１，Ｂ＿ＢＵＦ２をターンオフさせる。
【０１６６】
また、色相データＤＡＴＡ＿ＲＧＢ１と色相データＤＡＴＡ＿ＲＧＢ２とが同じであれば、第１同連結制御信号ＣＯＣＯＮ１は、活性化されてスイッチＲ＿ＳＷ１，Ｇ＿ＳＷ２，Ｂ＿ＳＷ１を連結する。第２連結制御信号ＣＯＣＯＮ２は、非活性化されてスイッチＲ＿ＳＷ２，Ｇ＿ＳＷ１，Ｂ＿ＳＷ２を遮断する。
【０１６７】
色相データＤＡＴＡ＿ＲＧＢ１とデータＤＡＴＡ＿ＲＧＢ２とが同じであれば、選択制御信号ＳＥＬ＿ＣＯＮは、活性化されて第１〜第３選択スイッチＳＳＷ１，ＳＳＷ２，ＳＳＷ３を連結する。
【０１６８】
このように、色相データＤＡＴＡ＿ＲＧＢ１と色相データＤＡＴＡ＿ＲＧＢ２とが同じであれば、第１及び第２ソースラインドライバ回路８１０，８２０の６個のバッファ増幅器のうち奇数番目のバッファ増幅器Ｒ＿ＢＵＦ１，Ｇ＿ＢＵＦ２，Ｂ＿ＢＵＦ１がターンオンされ、スイッチＲ＿ＳＷ１，Ｇ＿ＳＷ２，Ｂ＿ＳＷ１が連結され、第１〜第３選択スイッチＳＳＷ１，ＳＳＷ２，ＳＳＷ３が連結される。
【０１６９】
それにより、６個のバッファのうち、３個のバッファ増幅器Ｒ＿ＢＵＦ１，Ｇ＿ＢＵＦ２，Ｂ＿ＢＵＦ１のみを利用して隣接した二つのセルを制御しうる。すなわち、アナログ値Ｒ＿ＶＯＬ１は、出力ラインＲＯＵＴ１と出力ラインＲＯＵＴ２とに印加され、アナログ値Ｂ＿ＶＯＬ１は、出力ラインＢＯＵＴ１と出力ラインＢＯＵＴ２とに印加され、アナログ値Ｇ＿ＶＯＬ１は、出力ラインＧＯＵＴ２と出力ラインＧＯＵＴ１とに印加される。
【０１７０】
色相データＤＡＴＡ＿ＲＧＢ１と色相データＤＡＴＡ＿ＲＧＢ２とが同じであれば、アナログ値Ｒ＿ＶＯＬ１，Ｒ＿ＶＯＬ２は、互いに同じ電圧レベルを有し、アナログ値Ｇ＿ＶＯＬ１，Ｇ＿ＶＯＬ２は、互いに同じ電圧レベルを有し、アナログ値Ｂ＿ＶＯＬ１，Ｂ＿ＶＯＬ２は、互いに同じ電圧レベルを有する。
【０１７１】
したがって、上述した方法と同様の方法でアナログ値Ｒ＿ＶＯＬ１，Ｇ＿ＶＯＬ２，Ｂ＿ＶＯＬ１を二つのセルに印加しても、二つのセルは同じ色相を表示する。バッファ増幅器Ｒ＿ＢＵＦ２，Ｇ＿ＢＵＦ１，Ｂ＿ＢＵＦ２がターンオフされるので、ソースラインドライバ回路８００は消費電流を減らせる。
【０１７２】
色相データＤＡＴＡ＿ＲＧＢ１と色相データＤＡＴＡ＿ＲＧＢ２とが相異なれば、ソースラインドライバ回路８００は、通常の動作と同様に動作する。
【０１７３】
図９のソースラインドライバ回路８００は、色相データＤＡＴＡ＿ＲＧＢ１と色相データＤＡＴＡ＿ＲＧＢ２とが同じである場合、奇数番目のバッファ増幅器がターンオンされ、偶数番目のバッファ増幅器はターンオフされると説明したが、回路の構成によっては、偶数番目のバッファ増幅器がターンオンされ、奇数番目のバッファ増幅器はターンオフされることもある。このような回路を構成する方法は、当業者ならば理解できるので、ここではその詳細な説明は省略する。
【０１７４】
データ比較回路８３０は、色相データＤＡＴＡ＿ＲＧＢ１と色相データＤＡＴＡ＿ＲＧＢ２とが同じであれば、制御信号ＯＰＳに応答して第１動作制御信号ＯＰＣＯＮ１は活性化され、第２動作制御信号ＯＰＣＯＮ２は非活性化させる。
【０１７５】
データ比較回路８３０は、色相データＤＡＴＡ＿ＲＧＢ１と色相データＤＡＴＡ＿ＲＧＢ２とが相異なれば、制御信号ＯＰＳに応答して第１動作制御信号ＯＰＣＯＮ１と第２動作制御信号ＯＰＣＯＮ２を何れも活性化させる。
【０１７６】
また、データ比較回路８３０は、色相データＤＡＴＡ＿ＲＧＢ１と色相データＤＡＴＡ＿ＲＧＢ２とが同じであれば、制御信号ＣＯＳに応答して第１連結制御信号ＣＯＣＯＮ１は活性化させ、第２連結制御信号ＣＯＣＯＮ２は非活性化させる。
【０１７７】
データ比較回路８３０は、色相データＤＡＴＡ＿ＲＧＢ１と色相データＤＡＴＡ＿ＲＧＢ２とが相異なれば、制御信号ＣＯＳに応答して第１連結制御信号ＣＯＣＯＮ１と第２連結制御信号ＣＯＣＯＮ２を何れも活性化させる。
【０１７８】
データ比較回路８３０は、色相データＤＡＴＡ＿ＲＧＢ１と色相データＤＡＴＡ＿ＲＧＢ２とが同じであれば、制御信号ＳＥＬＳに応答して選択制御信号ＳＥＬ＿ＣＯＮを活性化させ、色相データＤＡＴＡ＿ＲＧＢ１と色相データＤＡＴＡ＿ＲＧＢ２とが相異なれば、制御信号ＳＥＬＳに応答して選択制御信号ＳＥＬ＿ＣＯＮを非活性化させる。
【０１７９】
このように、色相データＤＡＴＡ＿ＲＧＢ１と色相データＤＡＴＡ＿ＲＧＢ２とを比較し、色相データＤＡＴＡ＿ＲＧＢ１と色相データＤＡＴＡ＿ＲＧＢ２とが同じであるか否かによって、出力される信号のレベルを変動させる機能を行うデータ比較回路８３０の回路構造は、当業者ならば容易に分かるので、ここでは詳細な説明は省略する。
【０１８０】
図１０Ａは、図４のソースラインドライバ回路の内部バッファのテスト動作を説明する図面である。
【０１８１】
図４のソースラインドライバ回路２００の出力ラインＲＯＵＴ１，ＧＯＵＴ１，ＢＯＵＴ１，ＲＯＵＴ２，ＧＯＵＴ２，ＢＯＵＴ２には、対応するパッドＤＱＲ１，ＤＱＧ１，ＤＱＢ１，ＤＱＲ２，ＤＱＧ２，ＤＱＢ２が連結される。データＤＡＴＡ＿ＲＧＢ１とデータＤＡＴＡ＿ＲＧＢ２とが同じであれば、図９Ａに示されたように、第１ソースラインドライバ回路２１０のバッファ増幅器Ｒ＿ＢＵＦ１，Ｇ＿ＢＵＦ１，Ｂ＿ＢＵＦ１はターンオンされて動作し、第２ソースラインドライバ回路２２０のバッファ増幅器Ｒ＿ＢＵＦ２，Ｇ＿ＢＵＦ２，Ｂ＿ＢＵＦ２はターンオフされて動作しない。
【０１８２】
この時、ソースラインドライバ回路２００のバッファ増幅器Ｒ＿ＢＵＦ１，Ｇ＿ＢＵＦ１，Ｂ＿ＢＵＦ１，Ｒ＿ＢＵＦ２，Ｇ＿ＢＵＦ２，Ｂ＿ＢＵＦ２をテストするためのプローブチップＴ１，Ｔ２，Ｔ３をパッドＤＱＲ２，ＤＱＧ２，ＤＱＢ２にのみ連結させる。それにより、ターンオンされたバッファ増幅器Ｒ＿ＢＵＦ１，Ｇ＿ＢＵＦ１，Ｂ＿ＢＵＦ１がプローブチップＴ１，Ｔ２，Ｔ３によってテストされる。
【０１８３】
次いで、ターンオフされたバッファ増幅器Ｒ＿ＢＵＦ２，Ｇ＿ＢＵＦ２，Ｂ＿ＢＵＦ２をパッドＤＱＲ２，ＤＱＧ２，ＤＱＢ２に連結させて（図９Ａには点線で表示される）、バッファ増幅器Ｒ＿ＢＵＦ２，Ｇ＿ＢＵＦ２，Ｂ＿ＢＵＦ２をテストする。
【０１８４】
図１０Ａに示されたように、プローブチップＴ１，Ｔ２，Ｔ３の位置が３個のパッドごとに反復されて連結される。このような方式は、パッドに連結されるプローブチップＴ１，Ｔ２，Ｔ３の数を減らして二つのチップが同時にテストされうる。
【０１８５】
図１０Ｂは、図１０Ａのパッドの配置方法の一実施形態を説明する図面である。
【０１８６】
図１０Ａのパッドが図１０Ｂのように配置される場合、このような配置構造をねじれタイプの配置構造という。図９Ｂで、プローブＥチップＴ１，Ｔ２，Ｔ３が３個のパッドごとに反復されて連結されることが分かる。
【０１８７】
図１１は、図９のソースラインドライバ回路の内部バッファ増幅器のテストのためのプローブチップの連結を説明する図面である。
【０１８８】
図１１を参照すれば、図９に開示されたソースラインドライバ回路８００の出力ラインＲＯＵＴ１，ＧＯＵＴ１，ＢＯＵＴ１，ＲＯＵＴ２，ＧＯＵＴ２，ＢＯＵＴ２に対応するパッドＤＱＲ１，ＤＱＧ１，ＤＱＢ１，ＤＱＲ２，ＤＱＧ２，ＤＱＢ２が連結され、パッドＤＱＲ１，ＤＱＧ１，ＤＱＢ１，ＤＱＲ２，ＤＱＧ２，ＤＱＢ２のうち一部にバッファをテストするためのプローブチップＴ１，Ｔ２，Ｔ３が連結される。
【０１８９】
そして、選択制御信号ＳＥＬ＿ＣＯＮと第２連結制御信号ＣＯＣＯＮ２とが交互に活性化されるにつれて全てのバッファがテストされる。
【０１９０】
図１２Ａは、図９のソースラインドライバ回路の内部バッファ増幅器のテスト動作を説明する図面である。
【０１９１】
テスト動作についてさらに説明される。プローブチップＴ１，Ｔ２，Ｔ３は、第２動作制御信号ＯＰＣＯＮ２に応答して制御されるバッファ増幅器Ｇ＿ＢＵＦ１，Ｒ＿ＢＵＦ２，Ｂ＿ＢＵＦ２に対応する出力パッドＤＱＧ１，ＤＱＲ２，ＤＱＢ２に連結される。
【０１９２】
テスト動作時には、選択制御信号ＳＥＬ＿ＣＯＮが活性化され、第２連結制御信号ＣＯＣＯＮ２が非活性化されれば、第１動作制御信号ＯＰＣＯＮ１に応答して制御されるバッファ増幅器Ｒ＿ＢＵＦ１，Ｇ＿ＢＵＦ２，Ｂ＿ＢＵＦ１が先にテストされる。
【０１９３】
この時、バッファ増幅器をテストするためのテストデータは、全てのバッファ増幅器Ｒ＿ＢＵＦ１，Ｇ＿ＢＵＦ１，Ｂ＿ＢＵＦ１，Ｒ＿ＢＵＦ２，Ｇ＿ＢＵＦ２，Ｂ＿ＢＵＦ２に印加されるが、バッファ増幅器Ｒ＿ＢＵＦ１，Ｇ＿ＢＵＦ２，Ｂ＿ＢＵＦ１が先にテストされる。
【０１９４】
そして、選択制御信号ＳＥＬ＿ＣＯＮが非活性化され、第２連結制御信号ＣＯＣＯＮ２が活性化されれば、第２動作制御信号ＯＰＣＯＮ２に応答して制御されるバッファ増幅器Ｒ＿ＢＵＦ２，Ｇ＿ＢＵＦ１，Ｂ＿ＢＵＦ２がテストされる（図１２Ａで点線で表示される）。
【０１９５】
図９のソースラインドライバ回路８００は、テストモードの場合、外部のテスト装置（図示せず）から制御信号（図示せず）を受信して選択制御信号ＳＥＬ＿ＣＯＮ及び第２連結制御信号ＣＯＣＯＮ２を制御する制御ロジック（図示せず）をさらに備える。ソースラインドライバ回路８００のテスト動作を制御する制御ロジック（図示せず）は、当業者であれば理解できるので、ここでは詳細な説明は省略する。
【０１９６】
図１２Ｂは、図１２Ａのパッドの配置方法の一実施形態を説明する図面である。
【０１９７】
パッドの配置が前述されたねじれタイプの配置である場合、図９のソースラインドライバ回路８００をテストするプローブチップＴ１，Ｔ２，Ｔ３は、一つのパッドを飛ばして次のパッドごとに連結される。
【０１９８】
図１１のテスト方法は、パッドに連結されるプローブチップＴ１，Ｔ２，Ｔ３の数を半分に減らして、二つのチップが同時にテストされうるという長所がある。また、図１１のテスト方法は、図１０Ａのテスト方法に比べて、プローブチップＴ１，Ｔ２，Ｔ３間の距離がさらに長いので、テスト動作時にプローブカードの誤動作が防止されうる。
【０１９９】
本発明の実施形態では、“スイッチ”という表現を用いたが、“スイッチ”は、スイッチング装置を意味し、固体デバイス等の手段や機械的な手段または他の手段を含む。したがって、例えば、スイッチＣ＿ＳＷ１，Ｃ＿ＳＷ２，Ｒ＿ＳＷ１，Ｒ＿ＳＷ２，Ｇ＿ＳＷ１，Ｇ＿ＳＷ２，Ｂ＿ＳＷ１，Ｂ＿ＳＷ２，ＳＳＷ，ＳＳＷ１，ＳＳＷ２，ＳＳＷ３としては、トランジスタを用いてもよい。
【０２００】
すなわち、本発明の実施形態では、スイッチは、特別なスイッチング手段に限定されず、増幅器を出力と選択的に連結させうる手段を含む。また、信号は、回路構造によってハイレベルとローレベルとが変わりうる。本発明の実施形態で、ＲＧＢデータについて説明されたが、ＹＰｒＢのような他のタイプのデータも利用されうる。
【０２０１】
また、３つ以上の色成分の比較も可能である。例えば、白の色成分が存在すれば、ピクセルまたはチャンネル値の比較は、白の色成分に基づいて動作するであろう。すなわち、本発明の実施形態は、ＲＧＢデータに限定されず、ピクセルやピクセルのチャンネルのための値の比較が必要ないかなるシステムにも利用されうる。
【０２０２】
本発明の実施形態は、二つのピクセルまたは一つのピクセルのための二つのチャンネルの比較を説明している。しかし、二つのピクセルまたはチャンネル以上のピクセルまたはチャンネルが比較されてもよい。このような例では、バッファ増幅器の出力が二つ以上のソースラインに選択的に連結されうる。
【０２０３】
バッファ増幅器が連結される出力は、比較結果に基づいて選択されるか又は固定されうる。例えば、二つ以上のピクセルのための値が比較される場合、全ての値が同一であるか、またはある二つまたはそれ以上の値が同じである場合に応じて、本発明の実施形態が制御されうる。
【０２０４】
チャンネルレベルの比較またはピクセルレベルの比較が混合されうる。例えば、二つのチャンネルが比較される時、二つのチャンネルは、同じピクセルのチャンネルでも、または異なるピクセルのチャンネルでもありうる。
【０２０５】
比較される値は、スタティックでも、ダイナミックでもありうる。したがって、第１ピクセルのデータ値が第２ピクセルのデータ値と比較され、第２ピクセルのデータ値が第３ピクセルのデータ値と比較されるようなパターンが反復されうる。一方、スタティックシステムで、第１ピクセルのデータ値は第２ピクセルのデータ値と比較され、第３ピクセルのデータ値は第４ピクセルのデータ値と比較される。
【０２０６】
以上のように、図面及び明細書で最適の実施形態が開示された。ここで、特定の用語が使われたが、これは単に本発明を説明するための目的で使われたものであり、意味の限定や特許請求の範囲に記載された本発明の範囲を制限するために使われたものではない。
【０２０７】
したがって、当業者ならば、これから多様な変形及び均等な他の実施形態が可能であることが分かるであろう。したがって、本発明の技術的範囲は、特許請求の範囲の記載に基づいて定められなければならない。
【産業上の利用可能性】
【０２０８】
本発明は、ディスプレイ装置に利用され、特に、液晶を利用するディスプレイ装置のソースドライバ回路に利用されうる。
【図面の簡単な説明】
【０２０９】
【図１】一般的なソースラインドライバ回路の構造を示す図面である。
【図２】一般的なソースラインドライバ回路の他の構造を説明する図面である。
【図３】本発明の実施形態によるディスプレイ装置を説明するブロック図である。
【図４】本発明の実施形態によるディスプレイ装置のソースライン駆動回路を説明する図面である。
【図５】本発明の他の実施形態によるディスプレイ装置のソースライン駆動回路を説明する図面である。
【図６】本発明のさらに他の実施形態によるディスプレイ装置のソースライン駆動回路を説明する図面である。
【図７Ａ】増幅回路の一部を示す図面である。
【図７Ｂ】増幅回路の一部を示す図面である。
【図８】データ比較回路を説明する図面である。
【図９】本発明のさらに他の実施形態によるソースラインドライバ回路を説明する図面である。
【図１０Ａ】図４のソースドライバの内部バッファのテスト動作を説明する図面である。
【図１０Ｂ】図７Ａのパッドの配置方法の一実施形態を説明する図面である。
【図１１】図９のソースラインドライバ回路の内部バッファのテストのためのプローブチップの連結を説明する図面である。
【図１２Ａ】図９のソースラインドライバ回路の内部バッファのテスト動作を説明する図面である。
【図１２Ｂ】図１２Ａのパッドの配置方法の一実施形態を説明する図面である。
【符号の説明】
【０２１０】
２００    ソースラインドライバ回路
２１０    第１ソースラインドライバ回路
２２０    第２ソースラインドライバ回路
【図１】
0004815615.tif 000007
【図２】
0004815615.tif 000008
【図３】
0004815615.tif 000009
【図４】
0004815615.tif 000010
【図５】
0004815615.tif 000011
【図６】
0004815615.tif 000012
【図７Ａ】
0004815615.tif 000013
【図７Ｂ】
0004815615.tif 000014
【図８】
0004815615.tif 000015
【図９】
0004815615.tif 000016
【図１０Ａ】
0004815615.tif 000017
【図１０Ｂ】
0004815615.tif 000018
【図１１】
0004815615.tif 000019
【図１２Ａ】
0004815615.tif 000020
【図１２Ｂ】
0004815615.tif 000021